(57)【要約】【課題】製造コストの増大を防ぎ、且つ使い勝手の良い態様で、電動で遮蔽材の開閉制御を行う電動ブラインド用のスイッチ、マルチスイッチ、通信端末及び電動ブラインドを提供する。【解決手段】本発明のスイッチ１２，１２Ａ、又はマルチスイッチ２２、或いは通信端末１３は、複数種の遮蔽材（上部遮蔽材２Ｂ及び下部遮蔽材２Ａ等）の開閉操作に先立って予め定められた動作モードを選択指定するためのモード選択手段（モード切替ボタン１２６等）、選択指定された動作モードで複数種の遮蔽材の開閉操作を行うための操作手段（操作ボタン１２１〜１２５等）、及び当該モード選択手段及び操作手段に応じた操作信号を電動ブラインドに発信する通信制御手段（通信制御部１２ａ）を備える。本発明の電動ブラインドは、スイッチ１２等からの操作信号を受信して動作モードに応じて複数種の遮蔽材の開閉状態を制御する制御ユニット１１を備える。【選択図】図１
2020190175.tif 000002
【特許請求の範囲】
【請求項１】
単一又は複数種の遮蔽材の開閉操作を行うための電動ブラインド用のスイッチであって、
複数種の遮蔽材の開閉操作に先立って予め定められた動作モードを選択指定するためのモード選択手段と、
前記モード選択手段によって選択指定された動作モードで前記複数種の遮蔽材の開閉操作を行うための操作ボタンと、
前記モード選択手段及び前記操作ボタンに応じた操作信号を前記電動ブラインドに発信する通信制御部と、
を備えることを特徴とする電動ブラインド用のスイッチ。
【請求項２】
前記モード選択手段は、複数の動作モードのうち１つを選択指定するための１個又は複数個のモード切替ボタンからなることを特徴とする、請求項１に記載の電動ブラインド用のスイッチ。
【請求項３】
前記操作ボタンは、遮蔽材を開操作するための開ボタン、遮蔽材を閉操作するための閉ボタン、及び遮蔽材の開閉動作を停止操作するための停止ボタンを一組有し、
前記モード選択手段は、前記停止ボタンの機能と兼用されているものを含むことを特徴とする、請求項１又は２に記載の電動ブラインド用のスイッチ。
【請求項４】
前記モード選択手段は、前記操作ボタンに含まれる予め定めたボタンの押下時間の違いで動作モードの指定を示す操作として識別されるよう該ボタンの機能と兼用されているものを含むことを特徴とする、請求項１から３のいずれか一項に記載の電動ブラインド用のスイッチ。
【請求項５】
前記モード選択手段は、前記操作ボタンに含まれる予め定めたボタンの所定時間内の押下回数の違いで動作モードの指定を示す操作として識別されるよう該ボタンの機能と兼用されているものを含むことを特徴とする、請求項１から４のいずれか一項に記載の電動ブラインド用のスイッチ。
【請求項６】
前記モード選択手段は、前記操作ボタンに含まれる予め定めた２個以上のボタンの同時押下で動作モードの指定を示す操作として識別されるよう該２個以上のボタンの機能と兼用されているものを含むことを特徴とする、請求項１から５のいずれか一項に記載の電動ブラインド用のスイッチ。
【請求項７】
前記操作ボタンは、複数のスラットにより構成される遮蔽材を正遮蔽状態及び逆遮蔽状態に回動操作するための回転用ボタンを一組有することを特徴とする、請求項１から６のいずれか一項に記載の電動ブラインド用のスイッチ。
【請求項８】
前記モード選択手段によって選択される動作モードを表示する表示部を有することを特徴とする、請求項１から７のいずれか一項に記載の電動ブラインド用のスイッチ。
【請求項９】
前記複数種の遮蔽材は上部遮蔽材及び下部遮蔽材からなり、
前記動作モードは、前記上部遮蔽材及び前記下部遮蔽材を一体として一括操作するための一体操作モードと、前記上部遮蔽材及び前記下部遮蔽材を個別に操作するための個別操作モードと、を含むことを特徴とする、請求項１から８のいずれか一項に記載の電動ブラインド用のスイッチ。
【請求項１０】
前記個別操作モードは、前記上部遮蔽材を採光状態に移行して状態固定とし前記下部遮蔽材を採光又は遮光状態に操作するための上部採光固定・下部操作モード、前記上部遮蔽材を遮光状態に移行して状態固定とし前記下部遮蔽材を採光又は遮光状態に操作するための上部遮光固定・下部操作モード、前記下部遮蔽材を採光状態に移行して状態固定とし前記上部遮蔽材を採光又は遮光状態に操作するための下部採光固定・上部操作モード、及び前記下部遮蔽材を遮光状態に移行して状態固定とし前記上部遮蔽材を採光又は遮光状態に操作するための下部遮光固定・上部操作モードのうち１以上を含むことを特徴とする、請求項９に記載の電動ブラインド用のスイッチ。
【請求項１１】
前記複数種の遮蔽材は前部遮蔽材及び後部遮蔽材からなり、
前記動作モードは、前記前部遮蔽材及び前記後部遮蔽材を一体として一括開閉操作するための一体操作モードと、前記前部遮蔽材及び前記後部遮蔽材を個別に開閉操作するための個別操作モードと、を含むことを特徴とする、請求項１から１０のいずれか一項に記載の電動ブラインド用のスイッチ。
【請求項１２】
前記個別操作モードは、前記前部遮蔽材を採光状態に移行して状態固定とし前記後部遮蔽材を採光又は遮光状態に操作するための前部採光固定・後部操作モード、前記前部遮蔽材を遮光状態に移行して状態固定とし前記後部遮蔽材を採光又は遮光状態に操作するための前部遮光固定・後部操作モード、前記後部遮蔽材を採光状態に移行して状態固定とし前記前部遮蔽材を採光又は遮光状態に操作するための後部採光固定・前部操作モード、及び前記後部遮蔽材を遮光状態に移行して状態固定とし前記前部遮蔽材を採光又は遮光状態に操作するための後部遮光固定・前部操作モードのうち１以上を含むことを特徴とする、請求項１１に記載の電動ブラインド用のスイッチ。
【請求項１３】
複数種の遮蔽材の開閉操作を行うための電動ブラインド用のスイッチであって、
複数種の遮蔽材の開閉操作に先立って予め定められた複数種の動作モードのうち１つの動作モードを選択指定するためのモード選択手段と、
前記モード選択手段によって選択指定された動作モードで前記複数種の遮蔽材の開閉操作を行うための操作ボタンと、
前記モード選択手段及び前記操作ボタンに応じた操作信号を前記電動ブラインドに発信する通信制御部と、
前記モード選択手段によって選択指定された動作モードを識別可能に表示する表示部と、を備え、
前記表示部の近傍に、前記複数種の動作モードのそれぞれの動作モードの動作態様をグラフィック表示で表わす動作態様表示部が設けられていることを特徴とするスイッチ。
【請求項１４】
単一又は複数種の遮蔽材の開閉操作を行うための電動ブラインド用の通信端末であって、
複数種の遮蔽材の開閉操作に先立って予め定められた動作モードを選択指定するためのモード選択手段と、
前記モード選択手段によって選択指定された動作モードで前記複数種の遮蔽材の開閉操作を行うための操作手段と、
前記モード選択手段及び前記操作手段に応じた操作信号を前記電動ブラインドに発信する通信制御手段と、
を備えることを特徴とする電動ブラインド用の通信端末。
【請求項１５】
請求項１から１３のいずれか一項に記載の電動ブラインド用のスイッチ又は請求項１４に記載の通信端末により開閉操作される複数種の遮蔽材を有する電動ブラインドであって、
前記スイッチ又は前記通信端末からの操作信号を受信して、前記複数種の遮蔽材の開閉制御を行う制御ユニットを備え、
前記制御ユニットは、
前記操作信号として動作モードを指定する動作モード指定信号を受信して、現在の遮蔽材の高さを維持したまま該動作モードに対応する状態に移行するよう前記複数種の遮蔽材の開閉状態を制御するモード制御部と、
前記操作信号として開閉操作を指示する操作指示信号を受信して、該動作モード上で該開閉操作に応じて操作対象となる遮蔽材の開閉状態を制御する操作制御部と、
を有することを特徴とする電動ブラインド。
【請求項１６】
請求項１から１３のいずれか一項に記載の電動ブラインド用のスイッチ又は請求項１４に記載の通信端末により開閉操作される複数種の遮蔽材を有する電動ブラインドであって、
前記スイッチ又は前記通信端末からの操作信号を受信して、前記複数種の遮蔽材の開閉制御を行う制御ユニットを備え、
前記制御ユニットは、
前記操作信号として動作モードを指定する動作モード指定信号を受信して、該動作モードに対応するデフォルトの状態に移行するよう前記複数種の遮蔽材の開閉状態を制御するモード制御部と、
前記操作信号として開閉操作を指示する操作指示信号を受信して、該動作モード上で該開閉操作に応じて操作対象となる遮蔽材の開閉状態を制御する操作制御部と、
を有することを特徴とする電動ブラインド。
【請求項１７】
請求項１から１３のいずれか一項に記載の電動ブラインド用のスイッチ又は請求項１４に記載の通信端末により開閉操作される複数種の遮蔽材を有する電動ブラインドであって、
前記スイッチ又は前記通信端末からの操作信号を受信して、前記複数種の遮蔽材の開閉制御を行う制御ユニットを備え、
前記制御ユニットは、
前記操作信号に含まれる動作モードを指定する動作モード指定信号を識別して、該動作モードに対応するデフォルトの状態に移行するよう前記複数種の遮蔽材の開閉状態を制御するモード制御部と、
前記操作信号に含まれる開閉操作を指示する操作指示信号を識別して、該動作モード上で該開閉操作に応じて操作対象となる遮蔽材の開閉状態を制御する操作制御部と、
を有することを特徴とする電動ブラインド。
【請求項１８】
前記複数種の遮蔽材は上部遮蔽材及び下部遮蔽材からなり、
前記動作モードは、前記上部遮蔽材及び前記下部遮蔽材を一体として一括操作するための一体操作モードと、前記上部遮蔽材及び前記下部遮蔽材を個別に操作するための個別操作モードと、を含むことを特徴とする、請求項１５から１７のいずれか一項に記載の電動ブラインド。
【請求項１９】
前記個別操作モードは、前記上部遮蔽材を採光状態に移行して状態固定とし前記下部遮蔽材を採光又は遮光状態に操作するための上部採光固定・下部操作モード、前記上部遮蔽材を遮光状態に移行して状態固定とし前記下部遮蔽材を採光又は遮光状態に操作するための上部遮光固定・下部操作モード、前記下部遮蔽材を採光状態に移行して状態固定とし前記上部遮蔽材を採光又は遮光状態に操作するための下部採光固定・上部操作モード、及び前記下部遮蔽材を遮光状態に移行して状態固定とし前記上部遮蔽材を採光又は遮光状態に操作するための下部遮光固定・上部操作モードのうち１以上を含むことを特徴とする、請求項１８に記載の電動ブラインド。
【請求項２０】
前記複数種の遮蔽材は前部遮蔽材及び後部遮蔽材からなり、
前記動作モードは、前記前部遮蔽材及び前記後部遮蔽材を一体として一括開閉操作するための一体操作モードと、前記前部遮蔽材及び前記後部遮蔽材を個別に開閉操作するための個別操作モードと、を含むことを特徴とする、請求項１５から１７のいずれか一項に記載の電動ブラインド。
【請求項２１】
前記個別操作モードは、前記前部遮蔽材を採光状態に移行して状態固定とし前記後部遮蔽材を採光又は遮光状態に操作するための前部採光固定・後部操作モード、前記前部遮蔽材を遮光状態に移行して状態固定とし前記後部遮蔽材を採光又は遮光状態に操作するための前部遮光固定・後部操作モード、前記後部遮蔽材を採光状態に移行して状態固定とし前記前部遮蔽材を採光又は遮光状態に操作するための後部採光固定・前部操作モード、及び前記後部遮蔽材を遮光状態に移行して状態固定とし前記前部遮蔽材を採光又は遮光状態に操作するための後部遮光固定・前部操作モードのうち１以上を含むことを特徴とする、請求項２０に記載の電動ブラインド。
【請求項２２】
複数種の遮蔽材を開閉操作可能に構成された電動ブラインドを含む複数台の電動ブラインドに対し、指定した１台以上を選択的に、或いは全部を同時に、操作可能とするマルチスイッチであって、
前記複数種の遮蔽材の開閉操作に先立って予め定められた動作モードを選択指定するためのモード選択手段と、
前記モード選択手段によって選択指定された動作モードで前記複数種の遮蔽材の開閉操作を行うための操作ボタンと、
前記モード選択手段及び前記操作ボタンに応じた操作信号を前記複数台の電動ブラインドのうち指定した電動ブラインドに発信する通信制御部と、
を備えることを特徴とする電動ブラインド用のマルチスイッチ。
【請求項２３】
前記モード選択手段は、複数の動作モードのうち１つを選択指定するための動作モード毎に個別のモード切替ボタンからなることを特徴とする、請求項２２に記載の電動ブラインド用のマルチスイッチ。
【請求項２４】
前記複数種の遮蔽材は上部遮蔽材及び下部遮蔽材からなり、
前記動作モードは、前記上部遮蔽材及び前記下部遮蔽材を一体として一括操作するための一体操作モードと、前記上部遮蔽材及び前記下部遮蔽材を個別に操作するための個別操作モードと、を含むことを特徴とする、請求項２２又は２３に記載の電動ブラインド用のマルチスイッチ。
【請求項２５】
前記個別操作モードは、前記上部遮蔽材を採光状態に移行して状態固定とし前記下部遮蔽材を採光又は遮光状態に操作するための上部採光固定・下部操作モード、前記上部遮蔽材を遮光状態に移行して状態固定とし前記下部遮蔽材を採光又は遮光状態に操作するための上部遮光固定・下部操作モード、前記下部遮蔽材を採光状態に移行して状態固定とし前記上部遮蔽材を採光又は遮光状態に操作するための下部採光固定・上部操作モード、及び前記下部遮蔽材を遮光状態に移行して状態固定とし前記上部遮蔽材を採光又は遮光状態に操作するための下部遮光固定・上部操作モードのうち１以上を含むことを特徴とする、請求項２２から２４のいずれか一項に記載の電動ブラインド用のマルチスイッチ。
【請求項２６】
前記操作ボタンは、複数のスラットにより構成される遮蔽材を正遮蔽状態及び逆遮蔽状態に回動操作するための回転用ボタンを一組有することを特徴とする、請求項２２から２５のいずれか一項に記載の電動ブラインド用のマルチスイッチ。
【請求項２７】
前記モード選択手段は、液晶パネル上で当該動作モードを選択指定するよう構成され、選択指定された動作モード毎に、操作画面を提示する画面提示手段を備え、
前記画面提示手段は、前記動作モード毎に提示される操作画面上で、動作モードに応じて操作可能とする複数のスラットにより構成される遮蔽材を正遮蔽状態及び逆遮蔽状態に回動操作するための回動操作量を設定する操作ボタンと、該操作ボタンによる回動操作量をバー表示する操作バーと、当該設定された回動操作量で該遮蔽材を回動操作するための動作ボタンと、を提示する手段を有し、前記操作バーは、前記動作モードに応じて予め規定された回動操作可能範囲で、設定する該遮蔽材の回動操作量を識別できるように濃薄のバー表示を提示するように構成されていることを特徴とする、請求項２２から２６のいずれか一項に記載の電動ブラインド用のマルチスイッチ。
【発明の詳細な説明】
【技術分野】
【０００１】
本発明は、電動で遮蔽材の開閉制御を行う電動ブラインド用のスイッチ、通信端末及び電動ブラインド、並びにマルチスイッチに関する。
【背景技術】
【０００２】
電動で遮蔽材の開閉制御を行う電動ブラインドの例として、電動横型ブラインド、電動ロールスクリーン、電動たくし上げカーテン、電動プリーツスクリーン、或いは電動カーテンレール等がある。
【０００３】
また、これらの電動ブラインドの中には、遮蔽材全体を例えば上段の遮蔽材（以下、「上部遮蔽材」と称する）と下段の遮蔽材（以下、「下部遮蔽材」と称する）に上下方向に分けて構成するものや、遮蔽材全体を例えば前段の遮蔽材（以下、「前部遮蔽材」と称する）と後段の遮蔽材（以下、「後部遮蔽材」と称する）に前後方向に分けて構成するものもある。また、遮蔽材全体を上下方向、前後方向、或いはこれらの組み合わせで、３以上の遮蔽材に分けて構成することもできる。
【０００４】
例えば、電動横型ブラインドは、ヘッドボックス内に配設されるモーターの駆動力で駆動軸が回転され、その駆動軸の回転に基づいてヘッドボックスからラダーコードを介して吊下支持される多数段のスラットが昇降され、或いは各スラットが角度調節される。
【０００５】
そして、電動横型ブラインドの一種として、例えば上段のスラット群と下段のスラット群とに分けて、上段のスラット群を採光状態とし下段のスラット群を遮光状態とすることや、この逆として上段のスラット群を遮光状態とし下段のスラット群を採光状態とするような動作モードを電動で制御する構成も知られている（例えば、特許文献１参照）。
【０００６】
ところで、電動横型ブラインドの遮蔽材の昇降及び回動操作のための操作用のスイッチとして、「開閉用ボタン」（一般的には、「開ボタン」及び「閉ボタン」の二種）と、「回転用ボタン」（一般的には、「正遮蔽用ボタン」及び「逆遮蔽用ボタン」の二種）と、昇降・回転の動作を停止させる「停止ボタン」を一組設けたスイッチとするのが一般的である。
【０００７】
しかし、上述したような例えば上段のスラット群と下段のスラット群とに分けた複数種のスラット群（上部スラット群と下部スラット群等）を備える電動ブラインドの操作用のスイッチとしては、複数種のスラット群のそれぞれに対し昇降・回動操作を可能とする昇降用ボタン及び回転用ボタンの組を、その複数種のスラット群の種類数分設けたものとするか、或いは操作対象のスラット群を指定するボタンを新たに新設したものとすることが想定されるが、それぞれ当該スイッチの製造コストや使い勝手の観点で課題が残る。
【０００８】
当該複数種のスラット群のそれぞれに対し昇降・回動操作を可能とするスイッチの製造コストの増大を軽減させる技法として、「昇降用ボタン」と「回転用ボタン」を一組設けたスイッチを構成しつつ、「回転用ボタン」は一方のスラット群の回転のために用い、「昇降用ボタン」はその操作の仕方（所定時間以上の連続操作）により他方のスラット群の回転に用いることができるように、当該スイッチを構成する例が開示されている（例えば、特許文献２参照）。
【０００９】
この特許文献２には、「スラット群切替ボタン」を１個設けてその押下時間の違いで「回転用ボタン」の操作対象を切り替える例と、「スラットの回転角度の段階を表す数値」によってスラットの回転角度を指定可能とし、その段階の数値の値によって、一方のスラット群の回転角度を指定するか、他方のスラット群の回転角度を指定するかを切り替える例が開示されている。
【先行技術文献】
【特許文献】
【００１０】
【特許文献１】特開２０１６−４１８６８号公報
【特許文献２】特開２００６−６３６３３号公報
【発明の概要】
【発明が解決しようとする課題】
【００１１】
上述した特許文献２の技法では、当該複数種のスラット群のそれぞれに対し昇降・回動操作を可能とするスイッチについて、その製造コストの増大を軽減させることができるが、或る昇降・回動状態にある複数種のスラット群（上部スラット群と下部スラット群等）について、操作者が所望する昇降・回動状態へと操作するためには、繰り返し「回転用ボタン」と「昇降用ボタン」を操作する必要があり（これは特許文献１に開示される「スラット群切替ボタン」が有るときも同様）、依然として使い勝手の観点で課題が残る。
【００１２】
また、製造コストや使い勝手の観点から、単一又は複数種の遮蔽材を持つ種々の電動ブラインド（電動横型ブラインド、電動ロールスクリーン、電動たくし上げカーテン、電動プリーツスクリーン、或いは電動カーテンレール等）に対し、共通に利用できるスイッチ、或いは通信端末が望まれる。
【００１３】
本発明の目的は、上述の問題に鑑みて、製造コストの増大を防ぎ、且つ使い勝手の良い態様で、電動で遮蔽材の開閉制御を行う電動ブラインド用のスイッチ、通信端末及び電動ブラインド、並びにマルチスイッチを提供することにある。
【課題を解決するための手段】
【００１４】
本発明のスイッチは、単一又は複数種の遮蔽材の開閉操作を行うための電動ブラインド用のスイッチであって、複数種の遮蔽材の開閉操作に先立って予め定められた動作モードを選択指定するためのモード選択手段と、前記モード選択手段によって選択指定された動作モードで前記複数種の遮蔽材の開閉操作を行うための操作ボタンと、前記モード選択手段及び前記操作ボタンに応じた操作信号を前記電動ブラインドに発信する通信制御部と、を備えることを特徴とする。
【００１５】
また、本発明のスイッチにおいて、前記モード選択手段は、複数の動作モードのうち１つを選択指定するための１個又は複数個のモード切替ボタンからなることを特徴とする。
【００１６】
また、本発明のスイッチにおいて、前記操作ボタンは、遮蔽材を開操作するための開ボタン、遮蔽材を閉操作するための閉ボタン、及び遮蔽材の開閉動作を停止操作するための停止ボタンを一組有し、前記モード選択手段は、前記停止ボタンの機能と兼用されているものを含むことを特徴とする。
【００１７】
また、本発明のスイッチにおいて、前記モード選択手段は、前記操作ボタンに含まれる予め定めたボタンの押下時間の違いで動作モードの指定を示す操作として識別されるよう該ボタンの機能と兼用されているものを含むことを特徴とする。
【００１８】
また、本発明のスイッチにおいて、前記モード選択手段は、前記操作ボタンに含まれる予め定めたボタンの所定時間内の押下回数の違いで動作モードの指定を示す操作として識別されるよう該ボタンの機能と兼用されているものを含むことを特徴とする。
【００１９】
また、本発明のスイッチにおいて、前記モード選択手段は、前記操作ボタンに含まれる予め定めた２個以上のボタンの同時押下で動作モードの指定を示す操作として識別されるよう該２個以上のボタンの機能と兼用されているものを含むことを特徴とする。
【００２０】
また、本発明のスイッチにおいて、前記操作ボタンは、複数のスラットにより構成される遮蔽材を正遮蔽状態及び逆遮蔽状態に回動操作するための回転用ボタンを一組有することを特徴とする。
【００２１】
また、本発明のスイッチにおいて、前記モード選択手段によって選択される動作モードを表示する表示部を有することを特徴とする。
【００２２】
また、本発明のスイッチにおいて、前記複数種の遮蔽材は上部遮蔽材及び下部遮蔽材からなり、前記動作モードは、前記上部遮蔽材及び前記下部遮蔽材を一体として一括操作するための一体操作モードと、前記上部遮蔽材及び前記下部遮蔽材を個別に操作するための個別操作モードと、を含むことを特徴とする。
【００２３】
また、本発明のスイッチにおいて、前記個別操作モードは、前記上部遮蔽材を採光状態に移行して状態固定とし前記下部遮蔽材を採光又は遮光状態に操作するための上部採光固定・下部操作モード、前記上部遮蔽材を遮光状態に移行して状態固定とし前記下部遮蔽材を採光又は遮光状態に操作するための上部遮光固定・下部操作モード、前記下部遮蔽材を採光状態に移行して状態固定とし前記上部遮蔽材を採光又は遮光状態に操作するための下部採光固定・上部操作モード、及び前記下部遮蔽材を遮光状態に移行して状態固定とし前記上部遮蔽材を採光又は遮光状態に操作するための下部遮光固定・上部操作モードのうち１以上を含むことを特徴とする。
【００２４】
また、本発明のスイッチにおいて、前記複数種の遮蔽材は前部遮蔽材及び後部遮蔽材からなり、前記動作モードは、前記前部遮蔽材及び前記後部遮蔽材を一体として一括開閉操作するための一体操作モードと、前記前部遮蔽材及び前記後部遮蔽材を個別に開閉操作するための個別操作モードと、を含むことを特徴とする。
【００２５】
また、本発明のスイッチにおいて、前記個別操作モードは、前記前部遮蔽材を採光状態に移行して状態固定とし前記後部遮蔽材を採光又は遮光状態に操作するための前部採光固定・後部操作モード、前記前部遮蔽材を遮光状態に移行して状態固定とし前記後部遮蔽材を採光又は遮光状態に操作するための前部遮光固定・後部操作モード、前記後部遮蔽材を採光状態に移行して状態固定とし前記前部遮蔽材を採光又は遮光状態に操作するための後部採光固定・前部操作モード、及び前記後部遮蔽材を遮光状態に移行して状態固定とし前記前部遮蔽材を採光又は遮光状態に操作するための後部遮光固定・前部操作モードのうち１以上を含むことを特徴とする。
【００２６】
また、本発明のスイッチは、複数種の遮蔽材の開閉操作を行うための電動ブラインド用のスイッチであって、複数種の遮蔽材の開閉操作に先立って予め定められた複数種の動作モードのうち１つの動作モードを選択指定するためのモード選択手段と、前記モード選択手段によって選択指定された動作モードで前記複数種の遮蔽材の開閉操作を行うための操作ボタンと、前記モード選択手段及び前記操作ボタンに応じた操作信号を前記電動ブラインドに発信する通信制御部と、前記モード選択手段によって選択指定された動作モードを識別可能に表示する表示部と、を備え、前記表示部の近傍に、前記複数種の動作モードのそれぞれの動作モードの動作態様をグラフィック表示で表わす動作態様表示部が設けられていることを特徴とする。
【００２７】
更に、本発明の通信端末は、単一又は複数種の遮蔽材の開閉操作を行うための電動ブラインド用の通信端末であって、複数種の遮蔽材の開閉操作に先立って予め定められた動作モードを選択指定するためのモード選択手段と、前記モード選択手段によって選択指定された動作モードで前記複数種の遮蔽材の開閉操作を行うための操作手段と、前記モード選択手段及び前記操作手段に応じた操作信号を前記電動ブラインドに発信する通信制御手段と、を備えることを特徴とする。
【００２８】
更に、本発明の電動ブラインドは、本発明の電動ブラインド用のスイッチ又は本発明の通信端末により開閉操作される複数種の遮蔽材を有する電動ブラインドであって、前記スイッチ又は前記通信端末からの操作信号を受信して、前記複数種の遮蔽材の開閉制御を行う制御ユニットを備え、前記制御ユニットは、前記操作信号として動作モードを指定する動作モード指定信号を受信して、現在の遮蔽材の高さを維持したまま該動作モードに対応する状態に移行するよう前記複数種の遮蔽材の開閉状態を制御するモード制御部と、前記操作信号として開閉操作を指示する操作指示信号を受信して、該動作モード上で該開閉操作に応じて操作対象となる遮蔽材の開閉状態を制御する操作制御部と、を有することを特徴とする。
【００２９】
更に、本発明の電動ブラインドは、本発明の電動ブラインド用のスイッチ又は本発明の通信端末により開閉操作される複数種の遮蔽材を有する電動ブラインドであって、前記スイッチ又は前記通信端末からの操作信号を受信して、前記複数種の遮蔽材の開閉制御を行う制御ユニットを備え、前記制御ユニットは、前記操作信号として動作モードを指定する動作モード指定信号を受信して、該動作モードに対応するデフォルトの状態に移行するよう前記複数種の遮蔽材の開閉状態を制御するモード制御部と、前記操作信号として開閉操作を指示する操作指示信号を受信して、該動作モード上で該開閉操作に応じて操作対象となる遮蔽材の開閉状態を制御する操作制御部と、を有することを特徴とする。
【００３０】
更に、本発明の電動ブラインドは、本発明の電動ブラインド用のスイッチ又は本発明の通信端末により開閉操作される複数種の遮蔽材を有する電動ブラインドであって、前記スイッチ又は前記通信端末からの操作信号を受信して、前記複数種の遮蔽材の開閉制御を行う制御ユニットを備え、前記制御ユニットは、前記操作信号に含まれる動作モードを指定する動作モード指定信号を識別して、該動作モードに対応するデフォルトの状態に移行するよう前記複数種の遮蔽材の開閉状態を制御するモード制御部と、前記操作信号に含まれる開閉操作を指示する操作指示信号を識別して、該動作モード上で該開閉操作に応じて操作対象となる遮蔽材の開閉状態を制御する操作制御部と、を有することを特徴とする。
【００３１】
また、本発明の電動ブラインドにおいて、前記複数種の遮蔽材は上部遮蔽材及び下部遮蔽材からなり、前記動作モードは、前記上部遮蔽材及び前記下部遮蔽材を一体として一括操作するための一体操作モードと、前記上部遮蔽材及び前記下部遮蔽材を個別に操作するための個別操作モードと、を含むことを特徴とする。
【００３２】
また、本発明の電動ブラインドにおいて、前記個別操作モードは、前記上部遮蔽材を採光状態に移行して状態固定とし前記下部遮蔽材を採光又は遮光状態に操作するための上部採光固定・下部操作モード、前記上部遮蔽材を遮光状態に移行して状態固定とし前記下部遮蔽材を採光又は遮光状態に操作するための上部遮光固定・下部操作モード、前記下部遮蔽材を採光状態に移行して状態固定とし前記上部遮蔽材を採光又は遮光状態に操作するための下部採光固定・上部操作モード、及び前記下部遮蔽材を遮光状態に移行して状態固定とし前記上部遮蔽材を採光又は遮光状態に操作するための下部遮光固定・上部操作モードのうち１以上を含むことを特徴とする。
【００３３】
また、本発明の電動ブラインドにおいて、前記複数種の遮蔽材は前部遮蔽材及び後部遮蔽材からなり、前記動作モードは、前記前部遮蔽材及び前記後部遮蔽材を一体として一括開閉操作するための一体操作モードと、前記前部遮蔽材及び前記後部遮蔽材を個別に開閉操作するための個別操作モードと、を含むことを特徴とする。
【００３４】
また、本発明の電動ブラインドにおいて、前記個別操作モードは、前記前部遮蔽材を採光状態に移行して状態固定とし前記後部遮蔽材を採光又は遮光状態に操作するための前部採光固定・後部操作モード、前記前部遮蔽材を遮光状態に移行して状態固定とし前記後部遮蔽材を採光又は遮光状態に操作するための前部遮光固定・後部操作モード、前記後部遮蔽材を採光状態に移行して状態固定とし前記前部遮蔽材を採光又は遮光状態に操作するための後部採光固定・前部操作モード、及び前記後部遮蔽材を遮光状態に移行して状態固定とし前記前部遮蔽材を採光又は遮光状態に操作するための後部遮光固定・前部操作モードのうち１以上を含むことを特徴とする。
【００３５】
また、本発明のマルチスイッチは、複数種の遮蔽材を開閉操作可能に構成された電動ブラインドを含む複数台の電動ブラインドに対し、指定した１台以上を選択的に、或いは全部を同時に、操作可能とするマルチスイッチであって、前記複数種の遮蔽材の開閉操作に先立って予め定められた動作モードを選択指定するためのモード選択手段と、前記モード選択手段によって選択指定された動作モードで前記複数種の遮蔽材の開閉操作を行うための操作ボタンと、前記モード選択手段及び前記操作ボタンに応じた操作信号を前記複数台の電動ブラインドのうち指定した電動ブラインドに発信する通信制御部と、を備えることを特徴とする。
【００３６】
また、本発明のマルチスイッチにおいて、前記モード選択手段は、複数の動作モードのうち１つを選択指定するための動作モード毎に個別のモード切替ボタンからなることを特徴とする。
【００３７】
また、本発明のマルチスイッチにおいて、前記複数種の遮蔽材は上部遮蔽材及び下部遮蔽材からなり、前記動作モードは、前記上部遮蔽材及び前記下部遮蔽材を一体として一括操作するための一体操作モードと、前記上部遮蔽材及び前記下部遮蔽材を個別に操作するための個別操作モードと、を含むことを特徴とする。
【００３８】
また、本発明のマルチスイッチにおいて、前記個別操作モードは、前記上部遮蔽材を採光状態に移行して状態固定とし前記下部遮蔽材を採光又は遮光状態に操作するための上部採光固定・下部操作モード、前記上部遮蔽材を遮光状態に移行して状態固定とし前記下部遮蔽材を採光又は遮光状態に操作するための上部遮光固定・下部操作モード、前記下部遮蔽材を採光状態に移行して状態固定とし前記上部遮蔽材を採光又は遮光状態に操作するための下部採光固定・上部操作モード、及び前記下部遮蔽材を遮光状態に移行して状態固定とし前記上部遮蔽材を採光又は遮光状態に操作するための下部遮光固定・上部操作モードのうち１以上を含むことを特徴とする。
【００３９】
また、本発明のマルチスイッチにおいて、前記操作ボタンは、複数のスラットにより構成される遮蔽材を正遮蔽状態及び逆遮蔽状態に回動操作するための回転用ボタンを一組有することを特徴とする。
【００４０】
また、本発明のマルチスイッチにおいて、前記モード選択手段は、液晶パネル上で当該動作モードを選択指定するよう構成され、選択指定された動作モード毎に、操作画面を提示する画面提示手段を備え、前記画面提示手段は、前記動作モード毎に提示される操作画面上で、動作モードに応じて操作可能とする複数のスラットにより構成される遮蔽材を正遮蔽状態及び逆遮蔽状態に回動操作するための回動操作量を設定する操作ボタンと、該操作ボタンによる回動操作量をバー表示する操作バーと、当該設定された回動操作量で該遮蔽材を回動操作するための動作ボタンと、を提示する手段を有し、前記操作バーは、前記動作モードに応じて予め規定された回動操作可能範囲で、設定する該遮蔽材の回動操作量を識別できるように濃薄のバー表示を提示するように構成されていることを特徴とする。
【発明の効果】
【００４１】
本発明によれば、電動で遮蔽材の開閉制御を行う電動ブラインド用のスイッチの製造コストの増大を防ぎ、且つスイッチ、マルチスイッチ、通信端末及び電動ブラインドの使い勝手を向上させることができる。
【図面の簡単な説明】
【００４２】
【図１】本発明による第１実施形態の電動ブラインドとして構成される一実施例の電動横型ブラインドの概略構成と、その電動横型ブラインドに対し上部又は下部の遮蔽材の昇降・回動操作を行う電動ブラインド用のスイッチ又は通信端末を概略図示する正面図である。
【図２】（ａ）は本発明による第１実施形態の電動ブラインドとして構成される一実施例の電動横型ブラインドの構成を概略的に示す側面図であり、（ｂ）乃至（ｄ）はそれぞれ電動横型ブラインドの変形例を概略的に示す側面図である。
【図３】本発明による第１実施形態の電動ブラインドとして構成される一実施例の電動横型ブラインドにおける制御ユニットの概略構成を示すブロック図である。
【図４】本発明による一実施例の電動ブラインド用のスイッチの概略構成を示す正面図である。
【図５】（ａ）乃至（ｅ）はそれぞれ本発明による第１実施形態の電動ブラインドとして構成される一実施例の電動横型ブラインドにおける全ての動作モード（ＭＯＤＥ１〜ＭＯＤＥ５）を概略的に示す側面図である。
【図６】（ａ）乃至（ｃ）は本発明による第１実施形態の電動ブラインドとして構成される一実施例の電動横型ブラインドに対し、それぞれ片方向通信又は双方向通信により、電動ブラインド用のスイッチから遮蔽材の昇降・回動操作を行う際の操作信号に関するタイムチャート例である。
【図７】（ａ）及び（ｂ）は本発明による第１実施形態の電動ブラインドとして構成される一実施例の電動横型ブラインドに対し、それぞれ電動ブラインド用のスイッチから正遮蔽用ボタンの押下で遮蔽材の正遮蔽回動操作を行う際の操作例を示すタイムチャート例である。
【図８】本発明による第１実施形態の電動ブラインドとして構成される一実施例の電動横型ブラインドに対し遮蔽材の昇降・回動操作を行う電動ブラインド用のスイッチ又は通信端末を用いて操作する際の一例を示すフローチャートである。
【図９】（ａ）及び（ｂ）はそれぞれ本発明による変形例１，２の電動ブラインド用のスイッチの概略構成を示す正面図である。
【図１０】（ａ）及び（ｂ）はそれぞれ本発明による変形例３，４の電動ブラインド用のスイッチの概略構成を示す正面図である。
【図１１】（ａ）及び（ｂ）はそれぞれ本発明による変形例５，６の電動ブラインド用のスイッチの概略構成を示す正面図である。
【図１２】本発明による第２実施形態の電動ブラインドとして構成される一実施例の電動ロールスクリーンの概略構成と、その電動ロールスクリーンに対し遮蔽材の昇降操作を行う電動ブラインド用のスイッチ又は通信端末を概略図示する斜視図である。
【図１３】（ａ）乃至（ｅ）はそれぞれ本発明による第２実施形態の電動ブラインドとして構成される一実施例の電動ロールスクリーンにおける全ての動作モード（ＭＯＤＥ１〜ＭＯＤＥ５）を概略的に示す側面図である。
【図１４】本発明による別の一実施例の電動ブラインド用のスイッチの概略構成を示す正面図である。
【図１５】（ａ）乃至（ｄ）は、それぞれ本発明による当該別の一実施例のスイッチにより４種類の動作モード（ＭＯＤＥ１〜ＭＯＤＥ４）で切替動作させる電動横型ブラインドの一例を概略的に示す側面図である。
【図１６】（ａ）及び（ｂ）は、それぞれ本発明による一実施例の電動ブラインド用のマルチスイッチにおける全体操作画面、及び図１５に示す一動作モードの位置指定画面の概略構成を示す正面図である。
【図１７】（ａ）乃至（ｃ）は、それぞれ本発明による一実施例の電動ブラインド用のマルチスイッチにおける図１５に示す一動作モードの位置指定画面におけるバー表示の提示例を示す図である。
【図１８】（ａ）及び（ｂ）は、それぞれ本発明による一実施例の電動ブラインドにおける上部採光固定・下部操作モード（図１５に示すＭＯＤＥ３）の動作例を示す側面図である。
【発明を実施するための形態】
【００４３】
以下、図面を参照して、本発明による各実施形態の電動ブラインドを説明する。尚、本願明細書中、図１に示す電動ブラインドの正面図に対して、図示上方及び図示下方を遮蔽材（スラット）の吊り下げ方向に準じてそれぞれ上方向（又は上側）及び下方向（又は下側）と定義し、図示左方向を電動ブラインドの左側、図示右方向を電動ブラインドの右側と定義する。また、図１の正面図を視認する側を前側（室内側）、及び、その反対側を後側（又は室外側）とする。
【００４４】
〔第１実施形態〕
（電動横型ブラインドの全体構成）
図１は、本発明による第１実施形態の電動ブラインドとして構成される一実施例の電動横型ブラインドの概略構成と、その電動横型ブラインドに対し上部又は下部の遮蔽材（スラット及びレール）の昇降・回動操作を行う電動ブラインド用のスイッチ１２又は通信端末１３を概略図示する正面図である。
【００４５】
図１に示す電動横型ブラインドは、遮蔽材全体２Ｃを、下部遮蔽材（下部スラット群）２Ａと、上部遮蔽材（上部スラット群）２Ｂに分けて配設されている。
【００４６】
即ち、ヘッドボックス１の中央部、及び左右両側部近傍から垂下されるラダーコード４Ａを介して多数段のスラット２が下部遮蔽材（下部スラット群）２Ａとして吊下支持され、そのラダーコード４Ａの下端にボトムレール６が吊下支持されている。
【００４７】
また、ヘッドボックス１の中央部、及び左右両側部近傍から垂下されるラダーコード４Ｂを介して多数段のスラット２が上部遮蔽材（上部スラット群）２Ｂとして吊下支持され、そのラダーコード４Ｂの下端に中間レール６ｍが吊下支持されている。
【００４８】
また、ヘッドボックス１から昇降テープ３Ａが吊下支持され、その昇降テープ３Ａの下端にボトムレール６が取着されている。また、本例では、ヘッドボックス１から昇降テープ３Ｂが吊下支持され、その昇降テープ３Ｂの下端に中間レール６ｍが取着されている。ここで、昇降テープ３Ａ，３Ｂは、テープ状のものを示しているが、紐状の昇降コードとしてもよい。
【００４９】
ヘッドボックス１内には、ラダーコード４Ａ及び昇降テープ３Ａを吊下支持する支持部材５Ａと、ラダーコード４Ｂ及び昇降テープ３Ｂを吊下支持する支持部材５Ｂとが３箇所ずつ配設され、各支持部材５Ａには六角棒状の駆動軸７Ａが挿通され、各支持部材５Ｂには六角棒状の駆動軸７Ｂが挿通されている。
【００５０】
ヘッドボックス１の一端側にはモーター８Ａ，８Ｂが配設され、モーター８Ａの出力軸に駆動軸７Ａの一端が連結され、モーター８Ｂの出力軸に駆動軸７Ｂの一端が連結されている。そして、モーター８Ａの作動に基づいて駆動軸７Ａが正逆転され、駆動軸７Ａの正逆転に基づいてラダーコード４Ａを介して下部遮蔽材（下部スラット群）２Ａが回動され、或いは昇降テープ３Ａを介してボトムレール６が昇降されて下部遮蔽材（下部スラット群）２Ａが昇降される。また、モーター８Ｂの作動に基づいて駆動軸７Ｂが正逆転され、駆動軸７Ｂの正逆転に基づいてラダーコード４Ｂを介して上部遮蔽材（上部スラット群）２Ｂが回動され、或いは昇降テープ３Ｂを介して中間レール６ｍが昇降されて上部遮蔽材（上部スラット群）２Ｂが昇降される。
【００５１】
ヘッドボックス１の他端側には、電源ユニット１０及び制御ユニット１１が配設されている。そして、電源ユニット１０から制御ユニット１１やモーター８Ａ，８Ｂ等に対して電源供給され、制御ユニット１１は、有線又は無線（赤外線による片方向通信や無線ＬＡＮ(Local Area Network)等による双方向通信を含む）で通信接続されたスイッチ１２又は通信端末１３からの操作信号（詳細は後述する）に基づいてモーター８Ａ，８Ｂ等の動作を制御するようになっている。
【００５２】
スイッチ１２は、典型例として図４及び図５を参照して詳細に後述するが、遮蔽材の開閉（本例では昇降）操作のための「開閉用ボタン」（即ち、正遮蔽状態に回動操作するための正遮蔽用ボタン１２５及び逆遮蔽状態に回動操作するための逆遮蔽用ボタン１２４の二種）と、遮蔽材の回動操作のための「回転用ボタン」（即ち、正遮蔽状態に回動操作するための正遮蔽用ボタン１２５及び逆遮蔽状態に回動操作するための逆遮蔽用ボタン１２４の二種）と、開閉・回転の動作を停止させるための停止ボタン１２２を操作ボタンとして一組有し、これに加えて予め定めた種類で定義付けられた動作モードを切り替える機能（典型的には、「モード切替ボタン」１２６を有する）。動作モードの種類として、大別して、遮蔽材全体２Ｃを一体として一括操作するための一体操作モード（ＭＯＤＥ１）と、上部遮蔽材２Ｂ及び下部遮蔽材２Ａを個別に操作するための個別操作モードとがある。
【００５３】
そして、個別操作モードは、典型例として、図５に示すように、上部遮蔽材２Ｂを採光状態（スラット２が水平状態）に移行して状態固定とし下部遮蔽材２Ａを採光又は遮光状態に昇降・回動操作するための上部採光固定・下部操作モード（ＭＯＤＥ２）、上部遮蔽材２Ｂを遮光状態（スラット２が最大傾斜する全正遮蔽状態又は全逆遮蔽状態）に移行して状態固定とし下部遮蔽材２Ａを採光又は遮光状態に昇降・回動操作するための上部遮光固定・下部操作モード（ＭＯＤＥ３）、下部遮蔽材２Ａを採光状態（スラット２が水平状態）に移行して状態固定とし上部遮蔽材２Ｂを採光又は遮光状態に昇降・回動操作するための下部採光固定・上部操作モード（ＭＯＤＥ４）、及び下部遮蔽材２Ａを遮光状態（スラット２が最大傾斜する全正遮蔽状態又は全逆遮蔽状態）に移行して状態固定とし上部遮蔽材２Ｂを採光又は遮光状態に昇降・回動操作するための下部遮光固定・上部操作モード（ＭＯＤＥ５）のうち１以上を含む。
【００５４】
スイッチ１２における各ボタンは、物理的に押下できる物理ボタンとすることや、液晶パネル上に表示して押下できる表示ボタンとすることができる。
【００５５】
通信端末１３は、制御ユニット１１に対し有線又は無線通信可能なスマートフォンやパーソナルコンピュータ等の電子計算機で構成され、この電子計算機に対しアプリケーションソフトウェアとしてのプログラムを起動し、当該スイッチ１２と同様な操作画面を提示するように構成される。これにより、当該スイッチ１２の機能と同一の機能を通信端末１３により実現することができる。
【００５６】
更に、ヘッドボックス１内において、駆動軸７Ａの回転量を検知するためのパルス信号を出力する公知のエンコーダ９Ａが配設され、さらに駆動軸７Ｂの回転量を検知するためのパルス信号を出力する公知のエンコーダ９Ｂが配設されている。例えば、エンコーダ９Ａ，９Ｂは、内部に円盤状のスリット板が回転可能に支持され、このスリット板の中心にそれぞれの駆動軸７Ａ，７Ｂが相対回転不能に挿通される（図示せず）。そして、このスリット板に形成されたスリットの移動でその回転量を検知するフォトインタラプターが取着され、このフォトインタラプターからそれぞれの駆動軸７Ａ，７Ｂの回転に伴いハイ／ローで遷移するパルス信号が出力され、制御ユニット１１に入力される。従って、制御ユニット１１は、エンコーダ９Ａ，９Ｂからそれぞれ入力されたパルス信号をカウントして、駆動軸７Ａ，７Ｂの回転角度や、ボトムレール６及び中間レール６ｍの昇降高さを検出するとともに、下部遮蔽材２Ａ及び上部遮蔽材２Ｂの各昇降速度も検出可能となり、モーター８Ａ，８Ｂ等の動作を制御することができる。尚、制御ユニット１１は、モーター８Ａ，８Ｂの回転数や回転速度（即ち、駆動軸７Ａ，７Ｂの回転数や回転速度）に係るデータを一時的に格納するメモリを備えており、それぞれの駆動軸７Ａ，７Ｂの回転量に基づく現在のボトムレール６及び中間レール６ｍの昇降高さや下部遮蔽材２Ａ及び上部遮蔽材２Ｂを構成する各スラットの回動状態に関する状態情報を当該メモリに記憶保持することができ、更には下部遮蔽材２Ａ及び上部遮蔽材２Ｂの各昇降速度を可変設定する構成では、その設定された各昇降速度のデータを駆動軸７Ａ，７Ｂの回転速度に対応付けて当該メモリに記憶保持することもできる。従って、制御ユニット１１は、下部遮蔽材２Ａ及び上部遮蔽材２Ｂの開閉状態（昇降高さや各スラットの回動状態）を常に把握して制御することができる。
【００５７】
尚、支持部材５Ａ，５Ｂは、それぞれ同様に構成され、それぞれ一体に形成されたチルトドラム５２及び昇降ドラム５１が支持部材５Ａ，５Ｂの各ケースに回転可能に支持され、各チルトドラム５２及び昇降ドラム５１にそれぞれの駆動軸７Ａ，７Ｂが相対回転不能に挿通されている。従って、駆動軸７Ａが回転されると、支持部材５Ａにおけるチルトドラム５２及び昇降ドラム５１が一体に回転され、駆動軸７Ｂが回転されると、支持部材５Ｂにおけるチルトドラム５２及び昇降ドラム５１が一体に回転される。
【００５８】
例えば、支持部材５Ａにおけるチルトドラム５２にはラダーコード４Ａが掛装されて、そのチルトドラム５２に対し所定の摩擦力を発生させ、所定の回動範囲内でチルトドラム５２の回転に伴ってラダーコード４Ａの前後の縦糸を上げ下げする。ただし当該所定の回動範囲を超えてチルトドラム５２が回転するとき、即ち下部遮蔽材２Ａにおける各スラット２がほぼ垂直方向まで回動されたとき、ラダーコード４Ａの上端部近傍に設けられる金具（図示せず）が支持部材５Ａの当該ケースに当接して、ラダーコード４Ａの前後の縦糸の同方向への上げ下げ動作が阻止されると、チルトドラム５２がラダーコード４Ａの上端部に対し空回りするようになっている。支持部材５Ｂにおけるチルトドラム５２の動作も同様である。
【００５９】
支持部材５Ａにおける昇降ドラム５１には昇降テープ３Ａの上端部が巻着されている。そして、昇降ドラム５１が昇降テープ３Ａの巻き取り方向に回転されると、昇降テープ３Ａが昇降ドラム５１に巻き取られてボトムレール６が引き上げられ、そのボトムレール６で下部遮蔽材２Ａにおける各スラット２が下段のものから順次押し上げられる。また、昇降ドラム５１が昇降テープ３Ａの巻き戻し方向に回転されると、昇降テープ３Ａが昇降ドラム５１から巻き戻されてボトムレール６が下降し、下部遮蔽材２Ａにおける各スラット２が上段のものから順次ラダーコード４Ａの横糸に支持される状態に復帰する。支持部材５Ｂにおける昇降ドラム５１の動作も同様である。
【００６０】
また、支持部材５Ａに関して、ボトムレール６が下降するとき、チルトドラム５２が昇降ドラム５１と同方向に回転され、ラダーコード４Ａを介して下部遮蔽材２Ａにおける各スラット２の凹面が室内側となる全閉方向に回動される。尚、ボトムレール６とともに下部遮蔽材２Ａにおけるスラット２が引き上げられるときには、下部遮蔽材２Ａにおける各スラット２はその凸面が室内側となる逆全閉方向に回動される。
【００６１】
同様に、支持部材５Ｂに関して、中間レール６ｍが下降するとき、チルトドラム５２が昇降ドラム５１と同方向に回転され、ラダーコード４Ｂを介して上部遮蔽材２Ｂにおける各スラット２の凹面が室内側となる全閉方向に回動される。尚、中間レール６ｍとともに上部遮蔽材２Ｂにおけるスラット２が引き上げられるときには、上部遮蔽材２Ｂにおける各スラット２はその凸面が室内側となる逆全閉方向に回動される。
【００６２】
ところで、第１実施形態に係る本実施例では、上述したように、遮蔽材全体２Ｃを、下部遮蔽材（下部スラット群）２Ａと、上部遮蔽材（上部スラット群）２Ｂに分けて配設し、図２（ａ）にて概略図示するように、それぞれの駆動軸７Ａ，７Ｂの回転によって、昇降テープ３Ａ，３Ｂ及びラダーコード４Ａ，４Ｂを介して下部遮蔽材（下部スラット群）２Ａと、上部遮蔽材（上部スラット群）２Ｂとを独立して昇降操作及び回動操作をできるものとしている。この構成例では、例えばボトムレール６を下限位置に固定したまま、中間レール６ｍを昇降させることもできる。
【００６３】
ただし、本発明に係る電動横型ブランドは、図２（ａ）にて概略図示するような構成に限定する必要はなく、遮蔽材全体２Ｃを、下部遮蔽材２Ａと上部遮蔽材２Ｂに分けて配設し、遮蔽材全体２Ｃを一括して昇降操作及び回動操作することができ、更に、分けた下部遮蔽材２Ａと上部遮蔽材２Ｂを個別に回動操作することができる形態であればよい。
【００６４】
例えば、図２（ｂ）にて変形例１として概略図示するように、図２（ａ）に示す構成から昇降テープ３Ｂを省略して中間レール６ｍの独立した昇降制御を行わないものとし、ボトムレール６を下限位置からヘッドボックス１の下面近傍まで上昇させるときは中間レール６ｍを含む上部遮蔽材（上部スラット群）２Ｂを畳み込みながら上昇させ、ボトムレール６をヘッドボックス１の下面近傍から下限位置まで下降させるときは中間レール６ｍを含む上部遮蔽材（上部スラット群）２Ｂの畳み込みを解除しながら下降させる構成とすることができる。
【００６５】
更に、特許文献１に開示される技法と同様、図２（ｃ）にて変形例２として概略図示するように、図２（ａ）に示す構成から駆動軸７Ｂ、支持部材５Ｂ、ラダーコード４Ｂ、昇降テープ３Ｂ及び中間レール６ｍを省略し、駆動軸７Ａ、支持部材５Ａ、ラダーコード４Ａ及び昇降テープ３Ａをそれぞれ駆動軸７、支持部材５、全てのスラット２を吊下支持するラダーコード４、及び昇降テープ３として、ボトムレール６をヘッドボックス１の下面近傍から下限位置まで昇降できる形態としている。この形態上で、ヘッドボックス１からチルトコード１４を垂下させ、遮蔽材全体２Ｃを下部遮蔽材２Ａと上部遮蔽材２Ｂに分ける位置で、チルトコード１４の下端をラダーコード４の前側（又は後側）の縦糸の上下方向の略中間位置の連結部１５にて連結し、チルトコード１４をヘッドボックス１へ引き込み、或いはヘッドボックス１から引き出すようチルトコード１４の上端をアクチュエータ１６に連結したものとしている。アクチュエータ１６はスライド式でもよいし巻き取り式でもよい。この構成の場合、昇降テープ３の巻き取り、或いは巻き戻しによる遮蔽材全体２Ｃの一括した昇降操作と、ラダーコード４を介するスラット２の回動動作、並びにチルトコード１４のヘッドボックス１への引き込み、或いは引き出し動作の組み合わせで、遮蔽材全体２Ｃの一体的な回動操作と、下部遮蔽材２Ａと上部遮蔽材２Ｂの個別の回動操作を行うことができる。
【００６６】
更に、特許文献１に開示される技法を応用し、図２（ｄ）にて変形例３として概略図示するように、図２（ａ）に示す構成から駆動軸７Ｂ、支持部材５Ｂ、ラダーコード４Ｂ、昇降テープ３Ｂ及び中間レール６ｍを省略し、駆動軸７Ａ、支持部材５Ａ、ラダーコード４Ａ及び昇降テープ３Ａをそれぞれ駆動軸７、支持部材５、全てのスラット２を吊下支持するラダーコード４、及び昇降テープ３として、ボトムレール６をヘッドボックス１の下面近傍から下限位置まで昇降できる形態としている。この形態上で、ヘッドボックス１からチルトコード１４ａ，１４ｂを垂下させ、遮蔽材全体２Ｃを下部遮蔽材２Ａと上部遮蔽材２Ｂに分ける位置で、チルトコード１４ａの下端をラダーコード４の前側（又は後側）の縦糸の上下方向の略中間位置の連結部１５ａにて連結し、チルトコード１４ａをヘッドボックス１へ引き込み、或いはヘッドボックス１から引き出すようチルトコード１４ａの上端をアクチュエータ１６ａに連結したものとし、更にチルトコード１４ｂの下端をラダーコード４の対称的に後側（又は前側）の縦糸における上方（本例では最上段のスラット２の直下方）の連結部１５ｂにて連結し、チルトコード１４ｂをヘッドボックス１へ引き込み、或いはヘッドボックス１から引き出すようチルトコード１４ｂの上端をアクチュエータ１６ｂに連結したものとしている。アクチュエータ１６ａ，１６ｂはスライド式でもよいし巻き取り式でもよい。この構成の場合、昇降テープ３の巻き取り、或いは巻き戻しによる遮蔽材全体２Ｃの一括した昇降操作と、ラダーコード４を介するスラット２の回動動作、並びにチルトコード１４ａ，１４ｂのヘッドボックス１への引き込み、或いは引き出し動作の組み合わせで、遮蔽材全体２Ｃの一体的な回動操作と、下部遮蔽材２Ａと上部遮蔽材２Ｂの個別の回動操作を行うことができる。
【００６７】
（制御ユニットの構成）
次に、図１及び図２（ａ）に示す電動横型ブラインドにおける制御ユニット１１について図３を参照して説明する。図３は、本発明による第１実施形態の電動ブラインドとして構成される一実施例の電動横型ブラインドにおける制御ユニット１１の概略構成を示すブロック図である。尚、図３において、本発明に係る部分のみを示しており、その他の構成要素を排除するものではない。
【００６８】
制御ユニット１１は、制御部１１１と、メモリ１１２と、通信部１１３と、第１パルス信号入力部１１４と、第２パルス信号入力部１１５と、第１モーター駆動制御部１１６と、第２モーター駆動制御部１１７と、を備える。
【００６９】
制御部１１１は、通信部１１３を介してスイッチ１２又は通信端末１３からの操作信号を入力し、当該操作信号として動作モードを指定する動作モード指定信号を受け付けたときは当該動作モード指定信号によって指定される動作モードの種類（ＭＯＤＥ１〜ＭＯＤＥ５）を判別し、該動作モードに対応する状態に移行するよう第１モーター駆動制御部１１６及び／又は第２モーター駆動制御部１１７に制御信号を出力し、複数種の遮蔽材（本例では、上部遮蔽材２Ｂ及び下部遮蔽材２Ａ）の開閉状態を制御するモード制御部１１１ａと、当該操作信号として開閉操作を指示する操作指示信号を受け付けたときは当該動作モード指定信号によって指定される動作モードで当該操作指示信号に対応する操作対象の遮蔽材の昇降又は回動操作を行うよう、第１モーター駆動制御部１１６及び／又は第２モーター駆動制御部１１７に制御信号を出力し、操作対象となる遮蔽材の開閉状態を制御するモード制御部１１１ｂと、を有する。
【００７０】
ここで、モード制御部１１１ａは、操作信号として動作モードを指定する動作モード指定信号を受信したとき、現在の遮蔽材の高さを維持したまま該動作モードに対応する状態に移行するよう当該複数種の遮蔽材の開閉状態を制御する構成とすることや、該動作モードに対応するデフォルトの状態（即ち、図５に例示するようにボトムレール６が最下限位置（中間レール６ｍがあるときも同様に最下限位置）でスラット２が動作モードに応じて水平／全正遮蔽／全逆遮蔽に振り分けられた状態）に移行するよう当該複数種の遮蔽材の開閉状態を制御する構成とすることができる。
【００７１】
尚、制御部１１１は、当該操作対象の遮蔽材の昇降又は回動操作を行う際に、第１パルス信号入力部１１４及び第２パルス信号入力部１１５を介して得られるエンコーダ９Ａ，９Ｂからの各パルス信号を監視し、これらのパルス信号をカウントして、第１モーター駆動制御部１１６及び第２モーター駆動制御部１１７によって駆動するモーター８Ａ，８Ｂの回転数や回転速度（即ち、駆動軸７Ａ，７Ｂの回転数や回転速度）を制御する。
【００７２】
制御部１１１の機能はマイクロコンピュータで構成することができる。制御部１１１の機能を実現させるためのプログラムは、当該マイクロコンピュータの外部（又は内部）に備えられるメモリ１１２に記憶される。マイクロコンピュータに備えられる中央演算処理装置（ＣＰＵ）などの制御で、制御部１１１の機能を実現するための処理内容が記述されたプログラムを、適宜、メモリ１１２から読み込んで、制御部１１１の機能に相当する処理をコンピュータに実現させることができる。また、制御部１１１の機能の一部をハードウェアで実現し、その他の部分をマイクロコンピュータで構成させることもできる。
【００７３】
より具体的には、メモリ１１２は、ＲＯＭ（Read Only Memory）及びＲＡＭ（Random Access Memory）で構成され、ＲＯＭには制御部１１１の機能を実現するためのプログラムが記憶され、制御部１１１を構成するマイクロコンピュータはこのプログラムを当該ＲＯＭから読み出し、上述した制御部１１１の機能を実現する。また、制御部１１１を構成するマイクロコンピュータは当該ＲＡＭに対してモーター８Ａ，８Ｂの回転数や回転速度（即ち、駆動軸７Ａ，７Ｂの回転数や回転速度）に係るデータを一時的に格納し、それぞれの駆動軸７Ａ，７Ｂの回転量に基づくボトムレール６及び中間レール６ｍの昇降高さの状態情報を記憶保持することができ、更には下部遮蔽材２Ａ及び上部遮蔽材２Ｂの各昇降速度を可変設定する構成では、その設定された各昇降速度のデータを駆動軸７Ａ，７Ｂの回転速度に対応付けて記憶保持することができる。
【００７４】
通信部１１３は、有線又は無線（赤外線による片方向通信や無線ＬＡＮ等による双方向通信を含む）で通信接続されたスイッチ１２又は通信端末１３からの操作信号を入力し、制御部１１１に出力する素子部である。当該操作信号には、動作モードの種類（ＭＯＤＥ１〜ＭＯＤＥ５）を指定するための動作モード指定信号と、指定される動作モードで操作対象の遮蔽材の昇降又は回動操作を行うための操作指示信号とが含まれる。
【００７５】
第１パルス信号入力部１１４及び第２パルス信号入力部１１５は、それぞれエンコーダ９Ａ，９Ｂからのパルス信号を入力し、制御部１１１に出力する素子部である。
【００７６】
第１モーター駆動制御部１１６及び第２モーター駆動制御部１１７は、制御部１１１からの制御信号に応じてそれぞれモーター８Ａ，８Ｂの回転を駆動制御するドライバである。
【００７７】
尚、図３に示す制御ユニット１１は、上述した図２（ａ）に示す電動横型ブラインドに適用する構成例を示したものであるが、図２（ｂ）に示す電動横型ブラインドに適用することができる。
【００７８】
また、図３に示す制御ユニット１１を図２（ｃ）に示す電動横型ブラインドに適用する際には、第２モーター駆動制御部１１７について操作対象の遮蔽材（スラット２）の回動操作に係るスライド式又は巻き取り式のアクチュエータ１６を駆動制御するドライバとして構成する。この場合、アクチュエータ１６はチルトコード１４をヘッドボックス１へ引き込み、或いはヘッドボックス１から引き出す機能部であるため、図３に示す第２パルス信号入力部１１５の機能を省略して操作対象の遮蔽材（スラット２）の全正遮蔽又は全逆遮蔽の選択制御を行う構成とするか、又はアクチュエータ１６にチルトコード１４の引き込み量を検知するパルス信号を出力するポジションセンサ（スライド量検知）又はエンコーダ（巻き取り量検知）を設け、第２パルス信号入力部１１５はアクチュエータ１６の作動状態を示す該パルス信号を監視し、操作対象の遮蔽材（スラット２）の任意角度の正遮蔽又は逆遮蔽の操作制御を行う構成とする。
【００７９】
同様に、図３に示す制御ユニット１１を図２（ｄ）に示す電動横型ブラインドに適用する際には、第２モーター駆動制御部１１７について２個用意し、操作対象の遮蔽材（スラット２）の回動操作に係るスライド式又は巻き取り式のそれぞれアクチュエータ１６ａ，１６ｂを駆動制御するドライバとして構成する。この場合、各アクチュエータ１６ａ，１６ｂはそれぞれのチルトコード１４ａ，１４ｂをヘッドボックス１へ引き込み、或いはヘッドボックス１から引き出す機能部であるため、図３に示す第２パルス信号入力部１１５の機能を省略して操作対象の遮蔽材（スラット２）の全正遮蔽又は全逆遮蔽の選択制御を行う構成とするか、又は各アクチュエータ１６ａ，１６ｂにそれぞれのチルトコード１４ａ，１４ｂの引き込み量を検知するパルス信号を出力するポジションセンサ（スライド量検知）又はエンコーダ（巻き取り量検知）を設け、第２パルス信号入力部１１５を二組設けて、各アクチュエータ１６ａ，１６ｂの作動状態を示す該パルス信号を監視し、操作対象の遮蔽材（スラット２）の任意角度の正遮蔽又は逆遮蔽の操作制御を行う構成とする。
【００８０】
（スイッチの構成）
図４は、本発明による一実施例の電動ブラインド用のスイッチ１２の概略構成を示す正面図である。図４に示す一実施例のスイッチ１２は、本例では、複数種の遮蔽材（上部遮蔽材２Ｂ及び下部遮蔽材２Ａ）の開閉操作を行うための電動ブラインド用のスイッチとして構成され、その複数種の遮蔽材の開閉操作に先立って予め定められた動作モードを選択指定するためのモード切替ボタン１２６と、そのモード切替ボタン１２６によって選択指定された動作モードで当該複数種の遮蔽材の開閉操作を行うための操作ボタン１２１〜１２５と、モード切替ボタン１２６に応じたモード指定信号、及び操作ボタン１２１〜１２５に応じた操作指示信号を操作信号として、電動ブラインドに発信する通信制御部１２ａと、を備える。
【００８１】
ここで、操作ボタンは、遮蔽材の開閉（本例では昇降）操作のための「開閉用ボタン」（即ち、開操作するための開ボタン１２１及び閉操作するための閉ボタン１２３の二種）と、遮蔽材の回動操作のための「回転用ボタン」（即ち、正遮蔽状態に回動操作するための正遮蔽用ボタン１２５及び逆遮蔽状態に回動操作するための逆遮蔽用ボタン１２４の二種）と、開閉・回転の動作を停止させるための停止ボタン１２２を一組有している。モード切替ボタン１２６は、予め定めた種類で定義付けられた動作モード（本例では、ＭＯＤＥ１〜ＭＯＤＥ５）を切り替えるためのボタンである。スイッチ１２における各ボタンは、物理的に押下できる物理ボタンとすることや、液晶パネル上に表示して押下できる表示ボタンとすることができる。
【００８２】
また、モード切替ボタン１２６は、操作者による押下が繰り替えられる度に、順次、ＭＯＤＥ１〜ＭＯＤＥ５が順番に切り替わるようになっており、押下された現在の動作モードは、ＬＥＤ（Light Emitting Diode）等による図示する例では各動作モードを示す５個の表示部１２７の切り替え点灯で表示するようになっている。尚、スイッチ１２に液晶パネルを用いる構成では、表示部１２７に加えて、或いは表示部１２７の代わりに、モード切替ボタン１２６の押下が繰り替えられる度に、順次、ＭＯＤＥ１〜ＭＯＤＥ５の文字表示を順番に切り替え表示する形態としてもよい。
【００８３】
図４に示す一実施例のスイッチ１２により操作するための動作モードの種類は、図５に示すように、大別して、遮蔽材全体２Ｃを一体として昇降・回動を一括操作するための一体操作モード（ＭＯＤＥ１）と、上部遮蔽材２Ｂ及び下部遮蔽材２Ａを個別に操作するための個別操作モード（ＭＯＤＥ２〜ＭＯＤＥ５）とがある。
【００８４】
そして、個別操作モードは、典型例として、図５に示すように、上部遮蔽材２Ｂを採光状態（スラット２が水平状態）に移行して状態固定とし下部遮蔽材２Ａを採光又は遮光状態に昇降・回動操作するための上部採光固定・下部操作モード（ＭＯＤＥ２）、上部遮蔽材２Ｂを遮光状態（スラット２が最大傾斜する全正遮蔽状態又は全逆遮蔽状態）に移行して状態固定とし下部遮蔽材２Ａを採光又は遮光状態に昇降・回動操作するための上部遮光固定・下部操作モード（ＭＯＤＥ３）、下部遮蔽材２Ａを採光状態（スラット２が水平状態）に移行して状態固定とし上部遮蔽材２Ｂを採光又は遮光状態に昇降・回動操作するための下部採光固定・上部操作モード（ＭＯＤＥ４）、及び下部遮蔽材２Ａを遮光状態（スラット２が最大傾斜する全正遮蔽状態又は全逆遮蔽状態）に移行して状態固定とし上部遮蔽材２Ｂを採光又は遮光状態に昇降・回動操作するための下部遮光固定・上部操作モード（ＭＯＤＥ５）のうち１以上を含む。
【００８５】
尚、図５では、図２（ａ），（ｂ）に示す電動横型ブラインドの形態であるときの中間レール６ｍの図示を省略している。そして、図５では、ボトムレール６が最下限位置にあるとき（図２（ａ）に示す形態のときは中間レール６ｍも最下限位置にある）の状態を示している。
【００８６】
そして、図５では、図１及び図２（ａ）に示す電動横型ブラインドの形態の各動作モードにおける操作対象の遮蔽材の回動操作のみを図示しているが、図１及び図２（ａ）に示す電動横型ブラインドの形態であれば、昇降操作も同様に一体操作モードと個別操作モードに分けることができる（ただし、図２（ｂ），（ｃ），（ｄ）の電動横型ブラインドの形態では、昇降操作については一体操作モードと個別操作モードに分けることができず、回動操作のみ一体操作モードと個別操作モードに分けることができる。）。即ち、図１及び図２（ａ）に示す電動横型ブラインドの形態では、一体操作モード（ＭＯＤＥ１）は、遮蔽材全体２Ｃを一体として回動操作することや昇降操作することができる。例えば、図２（ａ）に示す中間レール６ｍ及びボトムレール６を独立してヘッドボックス１から吊下支持する形態では、制御ユニット１１は、一体操作モード（ＭＯＤＥ１）におけるスイッチ１２における「開閉用ボタン」による昇降操作に応じて、中間レール６ｍ及びボトムレール６を同時に昇降させるように構成することができる。ただし、中間レール６ｍ自体の昇降は制御せず、ボトムレール６の昇降制御によって遮蔽材全体２Ｃを昇降する制御を行う構成としてもよい。このいずれの制御を行うかは制御ユニット１１の構成で決定され、スイッチ１２自体の構成は共通化できる。
【００８７】
また、図５では、ボトムレール６が最下限位置にあるとき（又は図２（ａ）に示す形態のときは中間レール６ｍも最下限位置にあるとき）の状態を図示しているが、ボトムレール６が最下限位置にない状態（或いは中間レール６ｍもその最下限位置に無い状態も同様）にあるときに、スイッチ１２におけるモード切替ボタン１２６によるＭＯＤＥ１〜ＭＯＤＥ５の切り替え操作が行われた場合、制御ユニット１１は、そのボトムレール６の位置（或いは中間レール６ｍの位置）を維持したまま、指定された動作モードへの切り替え動作を行うように制御する構成とすることも可能である。しかし、ボトムレール６が最下限位置にない状態（或いは中間レール６ｍもその最下限位置に無い状態も同様）にあるときに、スイッチ１２におけるモード切替ボタン１２６によるＭＯＤＥ１〜ＭＯＤＥ５の切り替え操作が行われた場合、直感的な分かりやすさ、即ち使い勝手の観点から、制御ユニット１１は、図５に示すように、ボトムレール６が最下限位置にあるとき（又は図２（ａ）に示す形態のときは中間レール６ｍも最下限位置にあるとき）の各動作モードにおけるデフォルトの状態に自動的に移行する制御を行う構成とするのが好適である。また、ＭＯＤＥ１のデフォルトの状態は、本例では、遮蔽材全体２Ｃとして、スラット２が水平状態としているが、スラット２が最大傾斜する全正遮蔽状態又は全逆遮蔽状態としてもよい。
【００８８】
尚、図５に示す５つの動作モード（ＭＯＤＥ１〜ＭＯＤＥ５）のうち、図２（ｃ），（ｄ）のように構成された電動横型ブラインドが、ＭＯＤＥ４又はＭＯＤＥ５に対応していないときでも、個別操作モードとしては少なくともＭＯＤＥ２，ＭＯＤＥ３を有している。また、図２（ｃ），（ｄ）のように構成された電動横型ブラインドにおいて、各個別操作モードにおける一方の遮蔽材（例えば上部遮蔽材２Ｂ）を採光又は遮光状態に固定し、他方の遮蔽材（例えば下部遮蔽材２Ａ）を昇降又は回動操作の対象とする動作モード（例えば、ＭＯＤＥ２，ＭＯＤＥ３）の際に、制御ユニット１１は指定された動作モードに対応するよう当該一方の遮蔽材（例えば上部遮蔽材２Ｂ）が状態固定されるように制御を開始するが、その後の当該他方の遮蔽材（例えば下部遮蔽材２Ａ）の回動動作中に、当該一方の遮蔽材（例えば上部遮蔽材２Ｂ）が回動動作してもよく、最終的に、当該一方の遮蔽材（例えば上部遮蔽材２Ｂ）が状態固定されるように制御する。
【００８９】
ここで、図４に示すスイッチ１２は、図１に例示する電動ブラインドにおける制御ユニット１１に対し、有線又は無線（赤外線による片方向通信や無線ＬＡＮ等による双方向通信を含む）で通信接続し、操作信号を送信する構成とすることができるが、この通信形態について図６を参照して例示説明する。図６（ａ）乃至（ｃ）には本発明による第１実施形態の電動ブラインドとして構成される一実施例の電動横型ブラインドに対し、それぞれ片方向通信又は双方向通信により、電動ブラインド用のスイッチ１２から遮蔽材の昇降・回動操作を行う際の操作信号に関するタイムチャート例を示している。
【００９０】
図６（ａ）に示すように、操作対象とする電動ブラインドが動作モードとしてＭＯＤＥ１〜ＭＯＤＥ５の全てに対応している場合、図４に示すスイッチ１２が制御ユニット１１に対し、有線又は無線で接続され片方向通信や双方向通信のいずれの場合でも、モード切替ボタン１２６の押下が繰り返される度に、順番に動作モードが切り替わる。そして、当該電動ブラインドは、指定される動作モードで、遮蔽材の昇降操作のための「開閉用ボタン」、「回転用ボタン」及び「停止ボタン」による操作が可能となる。
【００９１】
一方、図６（ｂ）に示すように、操作対象とする電動ブラインドが動作モードとして例えばＭＯＤＥ１，ＭＯＤＥ２，ＭＯＤＥ３のみに対応している場合も、図４に示すスイッチ１２を共通に利用することができ、スイッチ１２が制御ユニット１１に対し、有線又は無線で接続され、特に片方向通信の場合に、モード切替ボタン１２６の押下が繰り返される度に、順番に動作モードが切り替わる。そして、当該電動ブラインドは、ＭＯＤＥ１，ＭＯＤＥ２，ＭＯＤＥ３のうちいずれかの指定される動作モードで、遮蔽材の昇降操作のための「開閉用ボタン」、「回転用ボタン」及び「停止ボタン」による操作が可能となる。この場合、図４に示すスイッチ１２にてＭＯＤＥ３，ＭＯＤＥ４が指定されても、当該電動ブラインドは操作不能となるのみである。尚、図４に示すスイッチ１２について、このようなＭＯＤＥ１，ＭＯＤＥ２，ＭＯＤＥ３のみに対応している電動ブラインド用のスイッチとして構成してもよいことは勿論である。
【００９２】
また、図６（ｃ）に示すように、操作対象とする電動ブラインドが動作モードとして例えばＭＯＤＥ１，ＭＯＤＥ２，ＭＯＤＥ３のみに対応している場合に、スイッチ１２が制御ユニット１１に対し、有線又は無線で接続され、特に双方向通信の場合にも、図４に示すスイッチ１２を共通に利用することができる。双方向通信の場合では、スイッチ１２によりＭＯＤＥ３，ＭＯＤＥ４が指定されても、制御ユニット１１から当該電動ブラインドは操作不能である旨をスイッチ１２に返信すればよく、この場合、スイッチ１２におけるモード切替ボタン１２６の押下が繰り返される度に、ＭＯＤＥ１，ＭＯＤＥ２，ＭＯＤＥ３の間で順番に動作モードが切り替わる。そして、当該電動ブラインドは、ＭＯＤＥ１，ＭＯＤＥ２，ＭＯＤＥ３のうちいずれかの指定される動作モードで、遮蔽材の昇降操作のための「開閉用ボタン」、「回転用ボタン」及び「停止ボタン」による操作が可能となる。
【００９３】
また、スイッチ１２におけるボタンの操作例として、ボタンの押下の有無で操作信号を制御ユニット１１に送信する構成や、ボタンの押下の開始と終了で対応する操作信号を制御ユニット１１に送信する構成とすることができる。
【００９４】
例えば、図７（ａ）及び（ｂ）は本発明による第１実施形態の電動ブラインドとして構成される一実施例の電動横型ブラインドに対し、それぞれ電動ブラインド用のスイッチ１２から正遮蔽用ボタン１２５の押下で遮蔽材の正遮蔽回動操作を行う際の操作例を示すタイムチャート例である。
【００９５】
図７（ａ）に示す例では、スイッチ１２におけるモード切替ボタン１２６の押下の有無で動作モードがＭＯＤＥ１からＭＯＤＥ２に切り替わるとき、その後、時刻ｔ０秒（ｔ０＞０）後に、正遮蔽用ボタン１２５の押下が為されたとする。このとき、制御ユニット１１は、ＭＯＤＥ２に対応する操作対象の下部遮蔽材２Ａを正遮蔽となる方向に回動させるよう制御して予め設定されている回動速度で下部遮蔽材２Ａが回動動作を開始し、そのｔ１秒（ｔ１＞０）後の停止ボタン１２２の押下で下部遮蔽材２Ａの回動動作を停止する。この正遮蔽用ボタン１２５の押下と停止ボタン１２２の押下の操作を繰り返すことで、操作者は下部遮蔽材２Ａの回動状態を所望の正遮蔽角度で調節することができる。同様に、例えばＭＯＤＥ２の状態で逆遮蔽用ボタン１２４の押下と停止ボタン１２２の押下の操作を繰り返すことで、操作者は下部遮蔽材２Ａの回動状態を所望の逆遮蔽角度で調節することができる。開ボタン１２１、及び閉ボタン１２３の操作も同様である。尚、制御ユニット１１は、例えばＭＯＤＥ２の状態で正遮蔽用ボタン１２５の押下による下部遮蔽材２Ａの回動動作の開始後、停止ボタン１２２の押下以外は、即ち他のボタン（逆遮蔽用ボタン１２４、開閉用ボタン、モード切替ボタン１２６）の押下は無効扱いとする制御を行うことも可能であるが、当該正遮蔽用ボタン１２５の押下による下部遮蔽材２Ａの回動動作の開始後、他のボタン（逆遮蔽用ボタン１２４、開閉用ボタン、モード切替ボタン１２６）の押下があれば、当該下部遮蔽材２Ａの回動動作を直ちに停止して、当該他のボタンの押下に対応する動作へと開始してもよい。
【００９６】
一方、スイッチ１２が制御ユニット１１に有線接続される形態であるときに、図７（ｂ）に示す例のように、スイッチ１２におけるモード切替ボタン１２６の押下の有無で動作モードがＭＯＤＥ１からＭＯＤＥ２に切り替わるとき、その後、時刻ｔ０秒（ｔ０＞０）後に、正遮蔽用ボタン１２５の押下が為されたとする。このとき、制御ユニット１１は、正遮蔽用ボタン１２５の押下が為されている時間ｔ１秒（ｔ１＞０）の間だけ、ＭＯＤＥ２に対応する操作対象の下部遮蔽材２Ａを正遮蔽となる方向に回動させるよう制御する。この正遮蔽用ボタン１２５の押下時間での操作を繰り返すことで、操作者は下部遮蔽材２Ａの回動状態を所望の正遮蔽角度で調節することができる。同様に、例えばＭＯＤＥ２の状態で逆遮蔽用ボタン１２５の押下時間での操作を繰り返すことで、操作者は下部遮蔽材２Ａの回動状態を所望の逆遮蔽角度で調節することができる。開ボタン１２１、及び閉ボタン１２３の操作も同様である。この場合、停止ボタン１２２は不要となり、「開閉用ボタン」として開ボタン１２１及び閉ボタン１２３の二種と、「回転用ボタン」として正遮蔽用ボタン１２５及び逆遮蔽用ボタン１２４の二種と、モード切替ボタン１２６の１つの計５個となり、既存の操作用のスイッチのボタン数と同数とするこができ、ボタン数の増加を防ぐことができる点でコスト的に有利になる。
【００９７】
（通信端末）
上述した図４乃至図７は、スイッチ１２の一実施例の構成とその操作例を説明したが、制御ユニット１１に対し有線又は無線通信可能なスマートフォンやパーソナルコンピュータ等の電子計算機で構成される通信端末１３について、当該スイッチ１２の機能と同一の機能を実現するアプリケーションソフトウェアとしてのプログラムを起動し、当該スイッチ１２と同様な操作画面を提示する形態とすることで、当該スイッチ１２の機能と同一の機能を通信端末１３により実現することができる。
【００９８】
従って、通信端末１３は、改めての図示を省略するが、図４に示すスイッチ１２に関する各機能部の参照番号を用いて説明すると、複数種の遮蔽材（上部遮蔽材２Ｂ及び下部遮蔽材２Ａ）の開閉操作を行うための電動ブラインド用の通信端末として構成され、その複数種の遮蔽材の開閉操作に先立って予め定められた動作モードを選択指定するためのモード選択手段（モード切替ボタン１２６に対応）と、そのモード選択手段によって選択指定された動作モードで当該複数種の遮蔽材の開閉操作を行うための操作手段（操作ボタン１２１〜１２５に対応）と、当該モード選択手段に応じたモード指定信号、及び当該操作手段に応じた操作指示信号を操作信号として、電動ブラインドに発信する通信制御手段（通信制御部１２ａに対応）と、を備えるように構成される。
【００９９】
（電動ブラインドの制御例）
図８は、本発明による第１実施形態の電動ブラインドとして構成される一実施例の電動横型ブラインドに対し遮蔽材の昇降・回動操作を行う電動ブラインド用のスイッチ１２又は通信端末１３を用いて操作する際の一例を示すフローチャートである。ここでは、動作モードの切り替えで、図５に示すように、ボトムレール６が最下限位置にあるとき（又は図２（ａ）に示す形態のときは中間レール６ｍも最下限位置にあるとき）の各動作モードにおけるデフォルトの状態に自動的に移行する制御を行う好適例を説明する。
【０１００】
まず、スイッチ１２（又は通信端末１３）は、操作者によりモード切替ボタン１２６の押下が為されると（ステップＳ１）、動作モード指定信号（例えば図７（ａ）に示すオン・オフのパルス信号）を操作対象の電動ブラインドにおける制御ユニット１１に送信する。このとき、操作対象の電動ブラインドにおけるメモリ１１２には、例えばＭＯＤＥ１の動作モード下にあり、ボトムレール６（中間レール６ｍがあるときも同様）が所定の高さ位置にあり、上部遮蔽材２Ｂ及び下部遮蔽材２Ａがそれぞれ所定角度にあるという状態を示す状態情報がメモリ１１２に一時記憶されているとする。
【０１０１】
続いて、当該動作モード指定信号を受信した電動ブラインドは、制御ユニット１１の制御により、メモリ１１２から現在の動作モードの状態を示す状態情報を読み出し、当該現在の動作モードの次の動作モードにおけるデフォルト状態への移行を開始し、当該現在の動作モードの状態を示す状態情報をメモリ１１２に更新する（ステップＳ２）。例えば、制御ユニット１１は、ＭＯＤＥ１から、ボトムレール６が最下限位置にあるとき（又は図２（ａ）に示す形態のときは中間レール６ｍも最下限位置にあるとき）のＭＯＤＥ２のデフォルトの状態（図５（ｂ）参照）への移行を開始し、メモリ１１２には、ＭＯＤＥ２の動作モード下にある旨を示す状態情報がメモリ１１２に更新される。
【０１０２】
ここで、ＭＯＤＥ２のデフォルトの状態への移行が完了する前に、操作者によりモード切替ボタン１２６の押下が為された場合でも（ステップＳ３）、スイッチ１２（又は通信端末１３）は、改めて動作モード指定信号を操作対象の電動ブラインドにおける制御ユニット１１に送信する。
【０１０３】
この場合も、当該動作モード指定信号を受信した電動ブラインドは、制御ユニット１１の制御により、メモリ１１２から現在の動作モードの状態を示す状態情報を読み出し、当該現在の動作モードの次の動作モードにおけるデフォルト状態への移行を開始し、当該現在の動作モードの状態を示す状態情報をメモリ１１２に更新する（ステップＳ４）。例えば、制御ユニット１１は、ＭＯＤＥ２から、ボトムレール６が最下限位置にあるとき（又は図２（ａ）に示す形態のときは中間レール６ｍも最下限位置にあるとき）のＭＯＤＥ３のデフォルトの状態（図５（ｃ）参照）への移行を開始し、メモリ１１２には、ＭＯＤＥ３の動作モード下にある旨を示す状態情報がメモリ１１２に更新される。
【０１０４】
続いて、例えばＭＯＤＥ３のデフォルトの状態への移行が完了する前に、操作者により操作ボタン（開閉用ボタン又は回転用ボタン）の押下が為された場合（ステップＳ５）、スイッチ１２（又は通信端末１３）は、操作指示信号（例えば図７（ａ）に示すオン・オフのパルス信号）を操作対象の電動ブラインドにおける制御ユニット１１に送信する。
【０１０５】
続いて、例えばＭＯＤＥ３のデフォルトの状態への移行が完了する前に、操作者により操作ボタン（開閉用ボタン又は回転用ボタン）の押下が１回以上為された場合（ステップＳ５）、スイッチ１２（又は通信端末１３）は、その都度、対応する操作指示信号（例えば図７（ａ）に示すオン・オフのパルス信号）を操作対象の電動ブラインドにおける制御ユニット１１に送信する。
【０１０６】
例えばＭＯＤＥ３のデフォルトの状態への移行が完了する前に、当該１回以上の操作指示信号を受信した電動ブラインドは、制御ユニット１１の制御により、最新の操作指示信号（開閉用ボタン又は回転用ボタンによる信号）をメモリ１１２に一時記憶して保持する（ステップＳ６）。
【０１０７】
続いて、制御ユニット１１は、例えばＭＯＤＥ３のデフォルトの状態への移行が完了する前に、新たな動作モード指定信号の受信の有無を監視し（ステップＳ７）、新たな動作モード指定信号の受信が有るときは（ステップＳ７：Ｙ）、ステップＳ４に移行してＭＯＤＥ４のデフォルトの状態へと強制移行する動作を開始（一時記憶していた当該最新の操作指示信号を廃棄する）が、本例では当該新たな動作モード指定信号の受信が無いとすると（ステップＳ７：Ｎ）、ステップＳ８に移行する。
【０１０８】
続いて、制御ユニット１１は、現動作モード（例えばＭＯＤＥ３）のデフォルトの状態への移行が完了後に、当該新たな動作モード指定信号の受信の有無を監視し（ステップＳ７）、メモリ１１２に一時記憶していた最新の操作指示信号（開閉用ボタン又は回転用ボタンによる信号）に対応する動作を自動的に開始する（ステップＳ８）。
【０１０９】
続いて、図７（ａ）に示す例のように、操作者により停止ボタン１２２の押下が為され、その停止の旨を示す動作指示信号（例えば図７（ａ）に示すオン・オフのパルス信号）がスイッチ１２（又は通信端末１３）から制御ユニット１１に送信される（ステップＳ９）。そして、この停止の旨を示す動作指示信号を受信した制御ユニット１１は、ステップＳ８に係る動作を停止し、メモリ１１２には、例えばＭＯＤＥ３の動作モード下にあり、ボトムレール６（中間レール６ｍがあるときも同様）が所定の高さ位置にあり、上部遮蔽材２Ｂ及び下部遮蔽材２Ａがそれぞれ所定角度にあるという状態を示す状態情報を更新して記憶保持する（ステップＳ１０）。
【０１１０】
尚、変形例として、ステップＳ６において、制御ユニット１１は、現動作モード（例えばＭＯＤＥ３）のデフォルトの状態への移行が完了まで、操作指示信号（開閉用ボタン又は回転用ボタンによる信号）を受信しても無効とし、ステップＳ８において、現動作モード（例えばＭＯＤＥ３）のデフォルトの状態への移行が完了後の操作指示信号（開閉用ボタン又は回転用ボタンによる信号）を有効として、図７（ａ）の制御を行うものとしてもよい（又は図７（ｂ）の例ではステップＳ９を省略できる）。
【０１１１】
ところで、図８に示す例では、本発明に係るスイッチ１２又は通信端末１３から操作対象の電動ブラインドにおける制御ユニット１１に対し操作信号を送信する際に、操作信号として動作モード指定信号と操作指示信号とを分けて送信する例を説明したが、その変形例として、１つの操作信号内に動作モード指定信号に対応するコマンドと、操作指示信号に対応するコマンドとを含む信号フォーマットとし、動作モード指定信号と操作指示信号とを同時に送信する形態としてもよい。この場合、制御ユニット１１は、操作信号に含まれる動作モードを指定する動作モード指定信号を識別して、該動作モードに対応するデフォルトの状態に移行するよう複数種の遮蔽材（本例では、上部遮蔽材２Ｂ及び下部遮蔽材２Ａ）の開閉状態を制御するモード制御部１１１ａと、操作信号に含まれる開閉操作を指示する操作指示信号を識別して、該動作モード上で該開閉操作に応じて操作対象となる遮蔽材の開閉状態を制御する操作制御部１１１ｂと、を有するように構成される。例えば、図８に例示するステップＳ１，Ｓ３，Ｓ５，Ｓ９においてスイッチ１２又は通信端末１３から操作対象の電動ブラインドにおける制御ユニット１１に対し動作モード指定信号と操作指示信号とを同時に送信する場合でも、制御ユニット１１の制御は、動作モード指定信号に従う動作モードへの移行を経て操作指示信号に従う操作を実行するように構成できるため、図８に例示するステップＳ２，Ｓ４，Ｓ６，Ｓ８，Ｓ１０に示す例と同様に制御する構成とすることができる。
【０１１２】
図４に例示した「開閉用ボタン」（開ボタン１２１及び閉ボタン１２３）及び停止ボタン１２２は、電動横型ブラインドだけでなく、電動ロールスクリーン、電動たくし上げカーテン、及び電動プリーツスクリーンにおける遮蔽材の昇降操作に用いることができ、電動カーテンレールの遮蔽材（カーテン材）の昇降操作に用いることができる（この場合、回転用ボタンは無効化、又は予め無くともよい）。そして、上下又は前後方向に複数（３枚以上でもよい）の遮蔽材が並設される場合、各遮蔽材を操作対象として切り替えるのではなく、モード切替ボタン１２６により、予め定めた種類で定義付けられた動作モードを切り替える構成とすることができる。
【０１１３】
以上のように、本実施形態に係るスイッチ１２によれば、予め定めた種類で定義付けられた動作モードに応じて操作対象の電動ブラインドを制御するものとし、既存のスイッチと比較して、動作モードを切り替えるためのモード切替ボタン１２６を追加的に有するのみとすることができるため、遮蔽材毎の操作ボタンを持つ構成よりも製造コストの増大を軽減でき、且つ各遮蔽材を操作対象として切り替える構成よりも使い勝手の良いものとなる。
【０１１４】
また、本実施形態に係る通信端末１３も同様に、予め定めた種類で定義付けられた動作モードに応じて操作対象の電動ブラインドを制御するものとしたので、各遮蔽材を操作対象として切り替える構成よりも使い勝手の良いものとなる。
【０１１５】
また、これらのスイッチ１２又は通信端末１３によって操作される、電動で遮蔽材の開閉制御を行う電動ブラインドは、予め定めた種類で定義付けられた動作モードに応じて操作対象の遮蔽材が自動的に切り替わるよう動作モードの指定に基づいた遮蔽材の操作制御を行う制御ユニット１１を有するので、上下方向に複数（３枚以上でもよい）の遮蔽材が並設される場合でも、制御負担を軽減させることができる。特に、制御ユニット１１は、モード切替ボタン１２６による動作モードを切り替え時に、各動作モードに応じた予め定めたデフォルト状態へと移行してから、遮蔽材の開閉（又は回動）操作を実行する構成とする場合には、より操作者にとって分かりやすく、より使い勝手が向上するものとなる。
【０１１６】
（スイッチ１２の変形例）
図９乃至図１１は、それぞれ本発明による変形例１乃至６の電動ブラインド用のスイッチ１２の概略構成を示す正面図である。尚、図９乃至図１１では、図４に示すものと同様な構成要素には同一の参照番号を付している。また、図９乃至図１１では、スイッチ１２に内蔵される、各ボタンの押下に従って操作信号を発信する通信制御部１２の図示は省略している。
【０１１７】
まず、図９（ａ）に示す変形例１のスイッチ１２は、図４に示すものと比較して、モード切替ボタン１２６を設ける代わりに、図４に示すモード切替ボタン１２６のモード選択機能と、図４に示す停止ボタン１２２の停止機能とを兼用したモード選択／停止ボタン１２２Ｍとして構成した例である。モード選択／停止ボタン１２２Ｍは、操作対象の電動ブラインドにおける複数の遮蔽材の非作動時（昇降等の開閉動作や回動動作がないとき）に操作者に押下させることで、図４に示すモード切替ボタン１２６の機能を実現する。一方、複数の遮蔽材の作動時（昇降等の開閉動作や回動動作が実行されているとき）に、モード選択／停止ボタン１２２Ｍが操作者に押下されると、その動作を停止する。このように、図４に示すモード切替ボタン１２６のモード選択機能と、図４に示す停止ボタン１２２の停止機能は、モード選択／停止ボタン１２２Ｍとして、１つのボタンに兼用することができるので、図７（ａ），（ｂ）に例示した動作を実現することができ、既存の操作用のスイッチのボタン数である５個と同数とするこができ、コスト的に有利になる。
【０１１８】
次に、図９（ｂ）に示す変形例２のスイッチ１２は、図４に示すものと比較して、モード切替ボタン１２６を設ける代わりに、図４に示す正遮蔽用ボタン１２５及び逆遮蔽用ボタン１２４の機能をそれぞれ維持したモード選択兼用の正遮蔽用ボタン１２５Ｍ及び逆遮蔽用ボタン１２４Ｍを、同時押下で図４に示すモード切替ボタン１２６のモード選択機能を実現する例である。このように、図４に示すモード切替ボタン１２６のモード選択機能と、図４に示す正遮蔽用ボタン１２５及び逆遮蔽用ボタン１２４の機能は、ボタンの個数を増やすことなく兼用することができので、図７（ａ），（ｂ）に例示した動作を実現することができ、既存の操作用のスイッチのボタン数である５個と同数とするこができ、コスト的に有利になる。尚、図９（ｂ）に示す例では、この二種の「回転用ボタン」の同時押下でモード切替ボタン１２６のモード選択機能を実現する例としているが、「開閉用ボタン」、「回転用ボタン」及び「停止ボタン」を構成する５個のボタンのうち予め定めた２個以上の同時押下で図４に示すモード切替ボタン１２６のモード選択機能を実現することもできる。
【０１１９】
次に、図１０（ａ）に示す変形例３のスイッチ１２は、図４に示すものと比較して、モード切替ボタン１２６を設ける代わりに、図４に示すモード切替ボタン１２６のモード選択機能と、図４に示す停止ボタン１２２の停止機能とをそれぞれ押下時間の違いで識別するよう兼用したモード選択／停止ボタン１２２Ｓとして構成した例である。モード選択／停止ボタン１２２Ｓは、例えば所定時間以上（例えば３秒以上）押下させることで、図４に示すモード切替ボタン１２６の機能を実現する。一方、モード選択／停止ボタン１２２Ｓは、所定時間未満（例えば３秒未満）押下させることで、図４に示す停止ボタン１２２の停止機能を実現する。尚、押下時間の違いで識別できればよく、どれほどの時間で、且ついずれの時間を長短として違いを識別するかは予め定めておけばよい。このように、図４に示すモード切替ボタン１２６のモード選択機能と、図４に示す停止ボタン１２２の停止機能は、モード選択／停止ボタン１２２Ｓとして、１つのボタンに兼用することができるので、図７（ａ），（ｂ）に例示した動作を実現することができ、既存の操作用のスイッチのボタン数である５個と同数とするこができ、コスト的に有利になる。尚、図１０（ａ）に示す例では、代表して図４に示すモード切替ボタン１２６のモード選択機能と、図４に示す停止ボタン１２２の停止機能とをそれぞれ押下時間の違いで識別するよう兼用したモード選択／停止ボタン１２２Ｓとして構成した例としたが、「開閉用ボタン」、「回転用ボタン」及び「停止ボタン」を構成する５個のボタンのうち予め定めた１個の押下時間の違いで図４に示すモード切替ボタン１２６のモード選択機能を実現することもできる。
【０１２０】
次に、図１０（ｂ）に示す変形例４のスイッチ１２は、図４に示すものと比較して、モード切替ボタン１２６を設ける代わりに、図４に示すモード切替ボタン１２６のモード選択機能と、図４に示す停止ボタン１２２の停止機能とをそれぞれ所定の押下時間内（例えば１．５秒内）の回数の違いで識別するよう兼用したモード選択／停止ボタン１２２Ｔとして構成した例である。モード選択／停止ボタン１２２Ｔは、所定の押下時間内（例えば１．５秒内）で第１の規定回数又は規定回数以上（例えば３回以上）押下させることで、図４に示すモード切替ボタン１２６の機能を実現する。一方、所定の押下時間内（例えば１．５秒内）で第２の規定回数又は規定回数未満（例えば１回）押下させることで、図４に示す停止ボタン１２２の停止機能を実現する。尚、所定の押下時間内の押下回数の違いで識別できればよく、どれほどの時間で、且ついずれの回数を長短として違いを識別するかは予め定めておけばよい。
【０１２１】
このように、図４に示すモード切替ボタン１２６のモード選択機能と、図４に示す停止ボタン１２２の停止機能は、モード選択／停止ボタン１２２Ｔとして、１つのボタンに兼用することができるので、図７（ａ），（ｂ）に例示した動作を実現することができ、既存の操作用のスイッチのボタン数である５個と同数とするこができ、コスト的に有利になる。尚、図１０（ｂ）に示す例では、代表して図４に示すモード切替ボタン１２６のモード選択機能と、図４に示す停止ボタン１２２の停止機能とをそれぞれ所定の押下時間内の押下回数の違いで識別するよう兼用したモード選択／停止ボタン１２２Ｔとして構成した例としたが、「開閉用ボタン」、「回転用ボタン」及び「停止ボタン」を構成する５個のボタンのうち予め定めた１個の所定の押下時間内の押下回数の違いで図４に示すモード切替ボタン１２６のモード選択機能を実現することもできる。
【０１２２】
上述した図９及び図１０に示す変形例１乃至４では、「開閉用ボタン」、「回転用ボタン」及び「停止ボタン」を構成する５個のボタンのみでスイッチ１２を構成し、モード切替ボタン１２６の機能をも持たせる例を代表して説明したが、変形例１乃至４のうち１以上を組み合わせた変形例のスイッチ１２を構成してもよい。
【０１２３】
一方、図１１（ａ）, （ｂ）にそれぞれ示す変形例５，６のスイッチ１２は、ボタン個数の増大よりも、使い勝手を重視した例である。
【０１２４】
まず、図１１（ａ）に示す変形例５のスイッチ１２は、図４に示すものと比較して、１個のモード切替ボタン１２６を設ける代わりに、遮蔽材全体２Ｃを一体として昇降・回動を一括操作するための一体操作モード（ＭＯＤＥ１）を指定するためのモード切替ボタン１２６Ａと、上部遮蔽材２Ｂ及び下部遮蔽材２Ａを個別に操作するための個別操作モード（ＭＯＤＥ２〜ＭＯＤＥ５）を操作者による押下が繰り替えられる度に、順次、ＭＯＤＥ２〜ＭＯＤＥ５が順番に切り替わるように指定するためのモード切替ボタン１２６Ｂと、を有するものとしている。本例では、頻繁に用いることが想定される一体操作モード（ＭＯＤＥ１）をワンタッチで指定するものとしたことで、ボタン数の増加を最小限にしたまま使い勝手を向上させることができる。また、一体操作モード（ＭＯＤＥ１）のみ、図９及び図１０で例示したように他のボタンと兼用とすることで、図４に示すものと同数のボタン数とすることもできる。
【０１２５】
図１１（ａ）に示す変形例５では、ワンタッチの動作モード指定対象を一体操作モード（ＭＯＤＥ１）とする例を示しているが、この代わりに、或いはこれに加えて、個別操作モード（ＭＯＤＥ２〜ＭＯＤＥ５）のうちいずれか１つ以上をワンタッチの動作モード指定対象としてもよい。例えば、図１１（ｂ）に示す変形例６のスイッチ１２のように、図４に示すものと比較して、１個のモード切替ボタン１２６を設ける代わりに、全ての度差モード（ＭＯＤＥ１〜ＭＯＤＥ５）をワンタッチで指定するモード切替ボタン１２６Ｓとし、使い勝手を重視した構成とすることができる。
【０１２６】
〔第２実施形態〕
（電動ロールスクリーンの全体構成）
図１２は、本発明による第２実施形態の電動ブラインドとして構成される一実施例の電動ロールスクリーンの概略構成と、その電動ロールスクリーンに対し前後の遮蔽材の昇降操作を行う電動ブラインド用のスイッチ１２又は通信端末１３を概略図示する斜視図である。尚、本実施形態のスイッチ１２及び通信端末１３は、第１実施形態の電動ブラインドを操作するためのものと同様に構成されるが、第１実施形態では遮蔽材全体２Ｃを下部遮蔽材２Ａと上部遮蔽材２Ｂの上下方向に分けて、一体として又は個別に操作するための例を説明したが、第２実施形態では遮蔽材全体１０２Ｃを前部遮蔽材１０２Ａと後部遮蔽材１０２Ｂの前後方向に分けて、一体として又は個別に操作するのに用いられる点で相違している。
【０１２７】
まず、図１２に示す電動ロールスクリーンにおいて、天井面等の取付面に、左右一対の支持部材１０１が固定される。そして、左右一対の支持部材１０１間に、前後方向に一対の巻取パイプ１０３Ａ，１０３Ｂが回転可能に支持されている。各巻取パイプ１０３Ａ，１０３Ｂには、それぞれスクリーンで構成される前部遮蔽材１０２Ａ及び後部遮蔽材１０２Ｂの各上辺が取着される。前部遮蔽材１０２Ａ及び後部遮蔽材１０２Ｂの各下辺には、それぞれ錘部材として機能するウェイトバー１０４Ａ，１０４Ｂが取着されている。各巻取パイプ１０３Ａ，１０３Ｂは、それぞれ前部遮蔽材１０２Ａ及び後部遮蔽材１０２Ｂを巻き取り、或いは巻き戻すことにより、個別に昇降させることができる。
【０１２８】
以下、説明の便宜上、第１実施形態と同様の構成要素には同一の参照番号により説明するが、巻取パイプ１０３Ａ内には巻取パイプ１０３Ａの軸中心上に設けられる回転軸に出力軸が連結されたモーター８Ａ及び該出力軸の回転に応じたパルス信号を発生するエンコーダ９Ａが設けられ（図１２では図示略）、同様に、巻取パイプ１０３Ｂ内には巻取パイプ１０３Ｂの軸中心上に設けられる回転軸に出力軸が連結されたモーター８Ｂ及び該出力軸の回転に応じたパルス信号を発生するエンコーダ９Ｂが設けられている（図１２では図示略）。
【０１２９】
そして、モーター８Ａの作動によって巻取パイプ１０３Ａを回転させ前部遮蔽材１０２Ａを昇降させることができ、モーター８Ｂの作動によって巻取パイプ１０３Ｂを回転させ後部遮蔽材１０２Ｂを昇降させることができる。
【０１３０】
各巻取パイプ１０３Ａ，１０３Ｂの右端側には制御ボックス１０５が配置され、制御ボックス１０５内には電源ユニット１０及び制御ユニット１１を収容されている（図１２では図示略）。
【０１３１】
本実施形態においても、電源ユニット１０から制御ユニット１１やモーター８Ａ，８Ｂ等に対して電源供給され、本実施形態における制御ユニット１１は、図３に示す構成と同様、有線又は無線で通信接続されたスイッチ１２又は通信端末１３からの操作信号に基づいてモーター８Ａ，８Ｂ等の動作を制御するようになっている。
【０１３２】
本実施形態におけるスイッチ１２又は通信端末１３についても、第１実施形態にて示したものと同様とすることができ、代表して、図４に示すスイッチ１２により構成されて例を説明する。尚、図４に示すスイッチ１２により図１２に示す電動ロールスクリーンの前部遮蔽材１０２Ａ及び後部遮蔽材１０２Ｂを操作するにあたり、遮蔽材の昇降操作のための「開閉用ボタン」（即ち、開ボタン１２１及び閉ボタン１２３の二種）と、昇降・回転の動作を停止させる停止ボタン１２２と、予め定めた種類で定義付けられた動作モードを切り替えるモード切替ボタン１２６のみが用いられ、正遮蔽用ボタン１２５及び逆遮蔽用ボタン１２４は押下されても制御ユニット１１は無効化する。
【０１３３】
また、本実施形態の制御ユニット１１についても、図３に示したものと同様に構成することができ、制御部１１１は、同様に機能するモード制御部１１１ａ及び操作制御部１１１ｂを有し、その更なる説明は省略する。
【０１３４】
ただし、本実施形態において、スイッチ１２により操作するための動作モードの種類は、図１３に示すように、大別して、前部遮蔽材１０２Ａ及び後部遮蔽材１０２Ｂからなる遮蔽材全体１０２Ｃを一体として一括開閉操作するための一体操作モード（ＭＯＤＥ１）と、前部遮蔽材１０２Ａ及び後部遮蔽材１０２Ｂを個別に開閉操作するための個別操作モード（ＭＯＤＥ２〜ＭＯＤＥ５）となる。
【０１３５】
そして、個別操作モードは、典型例として、図１３に示すように、前部遮蔽材１０２Ａを採光状態（全開状態）に移行して状態固定とし後部遮蔽材１０２Ｂを採光又は遮光状態に昇降操作するための前部採光固定・後部操作モード（ＭＯＤＥ２）、前部遮蔽材１０２Ａを遮光状態（全閉状態）に移行して状態固定とし後部遮蔽材１０２Ｂを採光又は遮光状態に昇降操作するための前部遮光固定・後部操作モード（ＭＯＤＥ３）、後部遮蔽材１０２Ｂを採光状態（全開状態）に移行して状態固定とし前部遮蔽材１０２Ａを採光又は遮光状態に昇降操作するための後部採光固定・前部操作モード（ＭＯＤＥ４）、及び後部遮蔽材１０２Ｂを遮光状態（全閉状態）に移行して状態固定とし前部遮蔽材１０２Ａを採光又は遮光状態に昇降操作するための後部遮光固定・前部操作モード（ＭＯＤＥ５）のうち１以上を含む。
【０１３６】
図１３では、操作対象の遮蔽材のウェイトバー１０４Ａ又は１０４Ｂが最下限位置にあるときの状態を図示しているが、ウェイトバー１０４Ａ又は１０４Ｂが最下限位置にない状態にあるときに、スイッチ１２におけるモード切替ボタン１２６によるＭＯＤＥ１〜ＭＯＤＥ５の切り替え操作が行われた場合、制御ユニット１１は、そのウェイトバー１０４Ａ又は１０４Ｂの位置を維持したまま、指定された動作モードへの切り替え動作を行うように制御する構成とすることも可能である。しかし、ウェイトバー１０４Ａ又は１０４Ｂが最下限位置にない状態にあるときに、スイッチ１２におけるモード切替ボタン１２６によるＭＯＤＥ１〜ＭＯＤＥ５の切り替え操作が行われた場合、直感的な分かりやすさ、即ち使い勝手の観点から、制御ユニット１１は、図１３に示すように、ウェイトバー１０４Ａ又は１０４Ｂが最下限位置にあるときの各動作モードにおけるデフォルトの状態（ＭＯＤＥ１では、ウェイトバー１０４Ａ及び１０４Ｂの双方が最下限位置にあるときがデフォルトの状態）に自動的に移行する制御を行う構成とするのが好適である。
【０１３７】
そして、図４に示すスイッチ１２により図１２に示す電動ロールスクリーンの前部遮蔽材１０２Ａ及び後部遮蔽材１０２Ｂを操作するにあたり、スイッチ１２及び制御ユニット１１の制御は、遮蔽材に対する回動操作が無く開閉操作（昇降操作）のみとなる点を除き第１実施形態と同様であり、スイッチ１２の構成についても図４の構成に限定されず、第１実施形態で説明した各種変形例を適用した形態や、上述した実施例及び各変形例を組み合わせ応用した形態とすることができる。
【０１３８】
（スイッチの別の実施例）
図１４は、本発明による別の一実施例の電動ブラインド用のスイッチ１２Ａの概略構成を示す正面図である。また、図１５（ａ）乃至（ｄ）は、それぞれ本発明による当該別の一実施例のスイッチ１２Ａにより４種類の動作モード（ＭＯＤＥ１〜ＭＯＤＥ４）で切替動作させる電動横型ブラインドの一例を概略的に示す側面図である。尚、上述した例と同様の構成要素には同一の参照番号を付している。
【０１３９】
まず、上述した図４に示すスイッチ１２では、図５に例示するように５種類の動作モードを切り替える構成例を説明したが、図１４に示すスイッチ１２Ａは、４種類の動作モードを切り替える構成とした例であり、その動作モードの種類を除き、図４に示すスイッチ１２と同様の機能を有する。
【０１４０】
即ち、スイッチ１２Ａは、一体操作モード（遮蔽材全体２Ｃを一括して昇降操作及び回動操作する全体操作モード）と３種類の個別操作モードで合計４種類の動作モードとし、複数種の遮蔽材の開閉操作を行うための電動ブラインド用のスイッチとして構成され、特に、図１４に示すスイッチ１２Ａは、図１５に例示する遮蔽材全体（スラット全体）２Ｃが上部遮蔽材（上部スラット群）２Ｂ及び下部遮蔽材（下部スラット群）２Ａで区分された電動横型ブラインドの動作モード別の操作に利用できるように構成されている。
【０１４１】
より具体的に、図１４に示すスイッチ１２Ａは、その上部遮蔽材（上部スラット群）２Ｂ及び下部遮蔽材（下部スラット群）２Ａの昇降又は回動操作に先立って予め定められた動作モードを選択指定するためのモード切替ボタン１２６と、そのモード切替ボタン１２６によって選択指定された動作モードで上部遮蔽材（上部スラット群）２Ｂ及び下部遮蔽材（下部スラット群）２Ａの昇降又は回動操作を行うための操作ボタン（１２１〜１２５）とを有し、内部に、モード切替ボタン１２６に応じたモード指定信号、及び操作ボタン（１２１〜１２５）に応じた操作指示信号を操作信号として電動横型ブラインドにおける制御ユニットに発信する通信制御部（図示略）が設けられている。
【０１４２】
図１４に示すモード切替ボタン１２６は、４種類の動作モード（ＭＯＤＥ１〜ＭＯＤＥ４）を切り替えるためのボタンである。動作モードには、図１５を参照して詳述するが、上部遮蔽材（上部スラット群）２Ｂと下部遮蔽材（下部スラット群）２Ａを一体的に全体２Ｃとして、ボトムレール６を昇降させることや回動させることを操作可能とする一体操作モード（ＭＯＤＥ１）と、ボトムレール６の下限設定位置（設定される下限位置でありボトムレール６の上部に１〜数枚のスラット２が載置された状態でもよい）で上部遮蔽材（上部スラット群）２Ｂと下部遮蔽材（下部スラット群）２Ａについて個別に、同位相角の回動を操作可能とする個別操作モード（ＭＯＤＥ２〜ＭＯＤＥ４）とがある。
【０１４３】
このため、モード切替ボタン１２６は、操作者による押下が繰り替えられる度に、順次、ＭＯＤＥ１〜ＭＯＤＥ４が順番に切り替わるようになっており、押下された現在の動作モードは、ＬＥＤ（Light Emitting Diode）等により構成された各動作モードを示す４個の表示部１２７‐１〜１２７‐４の切り替え点灯で表示するようになっている。尚、動作モードの切り替え操作に関して、操作者がモード切替ボタン１２６を押し終わった後、所定時間（例えば約３秒）経過してもモード切替ボタン１２６の操作が無いときに、選択された動作モードを示す動作モード指定信号を図１５に示す電動横型ブラインドの制御ユニットに送信するように構成することができる。
【０１４４】
そして、個別操作モードは、図１５に示すように、下部遮蔽材（下部スラット群）２Ａを遮光状態（スラット２が最大傾斜する全閉状態）に移行して状態固定とし上部遮蔽材（上部スラット群）２Ｂを採光又は遮光状態に回動操作するための下部遮光固定・上部操作モード（ＭＯＤＥ２）、上部遮蔽材（上部スラット群）２Ｂを採光状態（スラット２が水平状態）に移行して状態固定とし下部遮蔽材（下部スラット群）２Ａを採光又は遮光状態に回動操作するための上部採光固定・下部操作モード（ＭＯＤＥ３）、及び、上部遮蔽材（上部スラット群）２Ｂを遮光状態（スラット２が最大傾斜する逆全閉状態）に移行して状態固定とし下部遮蔽材（下部スラット群）２Ａを採光又は遮光状態に回動操作するための上部遮光固定・下部操作モード（ＭＯＤＥ４）を含む。
【０１４５】
操作ボタンは、上部遮蔽材（上部スラット群）２Ｂと下部遮蔽材（下部スラット群）２Ａを一体的に全体２Ｃとして、ボトムレール６を昇降させるための「開閉用ボタン」（即ち、ボトムレール６を上昇させ開操作するための開ボタン（“△ボタン”）１２１及びボトムレール６を下降させ閉操作するための閉ボタン（“▽ボタン”）１２３の二種）と、スラット２の回動操作のための「回動用ボタン」（即ち、正遮蔽状態に回動操作するための正遮蔽用ボタン１２５及び逆遮蔽状態に回動操作するための逆遮蔽用ボタン１２４の二種）と、開閉・回転の動作を停止させるための停止ボタン（“□ボタン”）１２２を一組有している。尚、最大正遮蔽は「全閉」と称し、最大逆遮蔽は「逆全閉」と称している。
【０１４６】
これにより、操作者は、スイッチ１２Ａにより、一体操作モード（ＭＯＤＥ１）において、ボトムレール６の上昇操作を行うときは、開ボタン（“△ボタン”）１２１の押下で上昇コマンドを示す操作指示信号を図１５に示す電動横型ブラインドの制御ユニットに送信でき、下降操作を行うときは、閉ボタン（“▽ボタン”）１２３の押下で下降コマンドを示す操作指示信号を当該制御ユニットに送信でき、昇降動作の停止操作を行うときは停止ボタン（“□ボタン”）１２２の押下で停止コマンドを示す操作指示信号を送信できる。
【０１４７】
また、操作者は、スイッチ１２Ａにより、一体操作モード（ＭＯＤＥ１）及び個別操作モード（ＭＯＤＥ２〜ＭＯＤＥ４）において、対応する動作モード上にて、スラット２の正遮蔽用ボタン１２５の押下で正遮蔽回動コマンドを示す操作指示信号を当該制御ユニットに送信でき、スラット２の逆遮蔽用ボタン１２４の押下で逆遮蔽回動コマンドを示す操作指示信号を当該制御ユニットに送信できるようになっており、これらの正遮蔽用ボタン１２５や逆遮蔽用ボタン１２４の押下をやめると、対応するコマンドの送信がなくなり、操作対象のスラット２の回動動作も停止する。
【０１４８】
尚、スイッチ１２Ａにおける各ボタンは、本例では、物理的に押下できる物理ボタンとしているが、液晶パネル上に表示して押下できる表示ボタンとしてもよい。また、スイッチ１２Ａに液晶パネルを用いる構成では、表示部１２７‐１〜１２７‐４に加えて、或いは表示部１２７‐１〜１２７‐４の代わりに、モード切替ボタン１２６の押下が繰り替えられる度に、順次、ＭＯＤＥ１〜ＭＯＤＥ４の文字表示を順番に切り替え表示する形態としてもよい。
【０１４９】
図１５（ａ）乃至（ｄ）に示すそれぞれ一体操作モード及び個別操作モードに係る動作態様を実現する電動横型ブラインドは、上述した図２（ｃ）にて変形例２として概略図示した構成とすることができ、ヘッドボックス１からチルトコード１４を垂下させ、遮蔽材全体（スラット全体）２Ｃを下部遮蔽材（下部スラット群）２Ａと上部遮蔽材（上部スラット群）２Ｂに分ける位置で、チルトコード１４の下端をラダーコード４の室内側の縦糸の上下方向の略中間位置の連結部にて連結し、チルトコード１４をヘッドボックス１へ引き込み、或いはヘッドボックス１から引き出すようチルトコード１４の上端をアクチュエータやリール等の機構に連結したものとしている。例えば、チルトコード１４の移動を駆動するための機構は、スライド式や巻き取り式のアクチュエータでもよいし、別途設けた駆動軸の回転で回転制御される巻き取り式のリールとしてもよい。
【０１５０】
そして、図１５（ａ）に示すように、一体操作モード（ＭＯＤＥ１）では、上部遮蔽材（上部スラット群）２Ｂと下部遮蔽材（下部スラット群）２Ａを一体的に全体２Ｃとして、ボトムレール６を昇降させることや回動させることを操作可能とする。
【０１５１】
また、図１５（ｂ）に示すように、下部遮光固定・上部操作モード（ＭＯＤＥ２）では、下部遮蔽材（下部スラット群）２Ａを遮光状態（スラット２が最大傾斜する全閉状態）に移行して状態固定とし上部遮蔽材（上部スラット群）２Ｂを採光又は遮光状態に回動操作可能とする。
【０１５２】
また、図１５（ｃ）に示すように、上部採光固定・下部操作モード（ＭＯＤＥ３）では、上部遮蔽材（上部スラット群）２Ｂを採光状態（スラット２が水平状態）に移行して状態固定とし下部遮蔽材（下部スラット群）２Ａを採光又は遮光状態に回動操作可能とする。
【０１５３】
また、図１５（ｄ）に示すように、上部遮光固定・下部操作モード（ＭＯＤＥ４）では、上部遮蔽材（上部スラット群）２Ｂを遮光状態（スラット２が最大傾斜する逆全閉状態）に移行して状態固定とし下部遮蔽材（下部スラット群）２Ａを採光又は遮光状態に回動操作可能とする。
【０１５４】
ところで、図１４に示すスイッチ１２Ａでは、これら４種類の動作モードを一見して操作者が理解できるように、それぞれの表示部１２７‐１〜１２７‐４の近傍（本例では上部）に、対応する動作モードをグラフィック表示で表わす動作態様表示部１２８が設けられている。動作態様表示部１２８は、スイッチ１２Ａが物理スイッチを有する形態であればシール貼付又は刻設されたグラフィック表示とし、液晶パネルで構成される場合には液晶表示によるグラフィック表示で示される。尚、このような動作態様表示部１２８は、上述した図４、並びに図９乃至図１１に例示するスイッチ１２についても設けるのが好適である。
【０１５５】
このように、スイッチ１２Ａは、上部遮蔽材（上部スラット群）２Ｂと下部遮蔽材（下部スラット群）２Ａを有する電動横型ブラインドに対して、上部遮蔽材（上部スラット群）２Ｂと下部遮蔽材（下部スラット群）２Ａを一体的に、及び個別に操作可能とし、更に、４種類の動作モードを一見して操作者がビジュアルで操作できる動作モードが認識できるようになるため、その使い勝手を向上させることができる。
【０１５６】
（マルチスイッチの実施例）
図１６（ａ）は、本発明による一実施例の電動ブラインド用のマルチスイッチ２２における全体操作画面の概略構成を示す正面図であり、図１６（ｂ）は、図１５に示す一動作モードの位置指定画面の概略構成を示す正面図であり、図１７（ａ）乃至（ｃ）は、それぞれマルチスイッチ２２における図１５に示す一動作モードの位置指定画面におけるバー表示の提示例を示す図である。また、図１８（ａ），（ｂ）は、それぞれ本発明による一実施例の電動ブラインドにおける上部採光固定・下部操作モード（図１５に示すＭＯＤＥ３）の動作例を示す側面図である。
【０１５７】
図１６（ａ）に示す一実施例のマルチスイッチ２２は、液晶パネルを用いて構成され、上述したスイッチ１２，１２Ａの機能と同様に、複数の動作モードで遮蔽材の開閉操作を行うように構成されているが、上述した複数種の遮蔽材を開閉操作可能に構成された電動ブラインドを含む複数台の電動ブラインドに対し、指定した１台以上を選択的に、或いは全部を同時に、操作可能とする多機能スイッチとして構成されている。
【０１５８】
この場合、例えば、図３に示す制御ユニット１１は、有線又は無線（赤外線による片方向通信や無線ＬＡＮ(Local Area Network)等による双方向通信を含む）で通信接続されたマルチスイッチ２２からの操作信号に基づいて各モーターの動作を制御するように構成することができる。即ち、マルチスイッチ２２は、例えば電動横型ブラインドが複数台で構成されているときに、その複数台の電動横型ブラインドのうち１台以上を選択的に、或いは全部を同時に操作可能とするためのスイッチである。
【０１５９】
即ち、図１６（ａ）に示す一実施例のマルチスイッチ２２は、図１５に示す４種類の動作モードを有する場合を例にして説明するに、上部遮蔽材（上部スラット群）２Ｂ及び下部遮蔽材（下部スラット群）２Ａの昇降又は回動操作に先立って予め定められた動作モードを選択指定するための切替ボタンとして、各ＭＯＤＥ１〜ＭＯＤＥ４にそれぞれ対応する“全体”ボタン２２７‐１、“上採光”ボタン２２７‐２、“下採光”ボタン２２７‐３、及び“上遮蔽”ボタン２２７‐４と、これらの切替ボタンによって選択指定された動作モードで上部遮蔽材（上部スラット群）２Ｂ及び下部遮蔽材（下部スラット群）２Ａの昇降又は回動操作を行うための操作ボタン（２２１〜２２５）と、各動作モードにおける電動横型ブラインド用のスラット角度の位置を指定するための“位置指定”ボタン２２８と、設定画面（図示略）等の１つ前の画面である「操作メニュー画面」に切り替えを行うための“戻る”ボタン２２９と、を有する「全体操作画面」を提示できるようになっている。そして、マルチスイッチ２２の内部に、これらの切替ボタンに応じたモード指定信号、及び操作ボタン２２１〜２２５に応じた操作指示信号を操作信号として電動横型ブラインドにおける制御ユニット１１に発信する通信制御部（図示略）が設けられている。尚、図示を省略するが、「操作メニュー画面」では、操作対象となる全電動ブラインドを一括で操作するための操作画面である「全体操作画面」の提示を選択するための図１６（ａ）に示す「全体」ボタンの他、操作対象となる対象となる製品のうち１台を選択して操作するための操作画面である「個別操作画面」の提示を選択するための「個別操作」ボタン、複数台の電動ブラインドのうち１台以上のエリアを選択し、エリア内の電動ブラインドを同一グループとして操作可能とするよう設定するための設定画面の提示を選択するための「エリア」ボタン、選択した電動ブラインドに対するタイマー動作を設定するための設定画面の提示を選択するための「タイマー」設定、及び各種の設定を包括的に行うための「設定」ボタン等が提示される。
【０１６０】
図１６（ａ）に示す各操作ボタン（２２１，２２２，２２３，２２４，２２５）の各々は、図１４に示す各操作ボタン（１２１，１２２，１２３，１２４，１２５）の各々に対応している。
【０１６１】
従って、操作者は、マルチスイッチ２２により、“全体”ボタン２２７‐１、“上採光”ボタン２２７‐２、“下採光”ボタン２２７‐３、及び“上遮蔽”ボタン２２７‐４の選択で、図１５に示す動作モードの切り替えを行うことができ、これらのうち選択されたボタンは、その旨を示すように濃淡が識別されるように表示される。
【０１６２】
そして、操作者は、マルチスイッチ２２により、“全体”ボタン２２７‐１の選択に基づいた全体操作モード（図１５に示すＭＯＤＥ１）において、ボトムレール６の上昇操作を行うときは、開ボタン（“△”ボタン）２２１の押下で上昇コマンドを示す操作指示信号を制御ユニット１１に送信でき、下降操作を行うときは、閉ボタン（“▽”ボタン）２２３の押下で下降コマンドを示す操作指示信号を制御ユニット１１に送信でき、昇降動作の停止操作を行うときは停止ボタン２２２の押下で停止コマンドを示す操作指示信号を送信できる。
【０１６３】
また、操作者は、マルチスイッチ２２により、“全体”ボタン２２７‐１の選択に基づいた全体操作モード（図１５に示すＭＯＤＥ１）、並びに“上採光”ボタン２２７‐２、“下採光”ボタン２２７‐３、及び“上遮蔽”ボタン２２７‐４の選択に基づいた個別操作モード（図１５に示すＭＯＤＥ２〜ＭＯＤＥ４）において、対応する動作モード上にて、スラット２の正遮蔽用ボタン２２５の押下の維持で正遮蔽回動コマンドを示す操作指示信号を制御ユニット１１に送信でき、スラット２の逆遮蔽用ボタン２２４の押下の維持で逆遮蔽回動コマンドを示す操作指示信号を制御ユニット１１に送信できるようになっており、これらの正遮蔽用ボタン２２５や逆遮蔽用ボタン２２４の押下をやめると、対応するコマンドの送信がなくなり、操作対象のスラット２の回動動作も停止する。
【０１６４】
従って、図１６（ａ）に示す一実施例のマルチスイッチ２２は、全体操作モード及び個別操作モードの各々を操作可能とする個別のボタン２２７‐１〜２２７‐４を有するように液晶パネルを用いて構成されているため、図１４に示す一実施例のスイッチ１２Ａと比較して、動作モードの選択に係る操作性を向上させている。即ち、図１４に示す一実施例のスイッチ１２Ａでは、ボタン増加に係るコスト上昇を抑えるべく動作モードを１つの切替ボタン１２６により順次の押下で切り替える構成としているが、この場合、例えばＭＯＤＥ３からＭＯＤＥ２へ切り替えるときは、３回の切替ボタン２１６の押下が必要となる。一方、図１６（ａ）に示すマルチスイッチ２２では、いずれの動作モードでもボタン２２７‐１〜２２７‐４の所望の動作モードの１回の押下で動作モードを切り替えることができるため、操作性が向上する。また、液晶パネルを用いてマルチスイッチ２２を構成することで、ボタン数が増加しても物理コストを抑えることができる。尚、マルチスイッチ２２は、電動横型ブラインドが複数台で構成されているときに、その複数台の電動横型ブラインドのうち１台以上を選択的に、或いは全部を同時に操作可能とするとして説明したが、このマルチスイッチ２２は、上述した遮蔽材の開閉操作機能を有しているため、上下段の遮蔽材に区分されているか否かを問わず他の形態の電動ブラインドの操作に利用できることは云うまでもない。
【０１６５】
また、図１６（ａ）に示すマルチスイッチ２２は、図１５に示す４種類の動作モードを有する例を説明したが、図５又は図１３に例示するように、５種類又はそれ以上の動作モードを有するように構成することも可能である。
【０１６６】
ところで、図１６（ａ）に示すマルチスイッチ２２は、その「全体操作画面」上で、モード選択手段として、上述したように全体操作モード及び個別操作モードの各々を選択指定するように構成されているが、その全体操作モード及び個別操作モードの各々を選択指定後（各動作モードのボタン２２７‐１乃至２２７‐４のうち選択指定したボタンは識別できるように濃く表示される。）、“位置指定”ボタン２２８の押下により各動作モードの操作画面（「位置指定画面」）へと切り替える構成とすることもできる。例えば、図１６（ｂ）に示す一動作モードの「位置指定画面」のように、選択指定された動作モード毎に、操作画面を切り替えて提示する画面提示手段を備えるように構成することもできる。
【０１６７】
図１６（ｂ）に示す操作画面は、上部採光固定・下部操作モード（図１５（ｂ）に示すＭＯＤＥ３）を選択指定する“下採光”ボタン２２７‐３の押下で提示される。図１６（ｂ）に示す操作画面上には、動作モードに応じて操作可能とする複数のスラット３により構成される遮蔽材を正遮蔽状態及び逆遮蔽状態に回動操作するための回動操作量を設定する操作ボタン（図示する矢印表記ボタン）２２６２，２２６３と、操作ボタン２２６２，２２６３による回動操作量をバー表示する操作バー２２６１と、当該設定された回動操作量で該遮蔽材を回動操作するための動作ボタン２２６４と、図１６（ａ）に示す「全体操作画面」に戻る操作を行うための“戻る”ボタン２２６５とが提示される。
【０１６８】
図１６（ｂ）に示す操作画面では、図１８（ａ），（ｂ）に示すように、上部遮蔽材２Ｂを採光状態（スラット水平状態）に状態固定とし、下部遮蔽材２Ａの採光又は遮光状態の回動操作として、下部遮蔽材２Ａにおけるスラットの回動操作可能範囲をスラット水平状態から正遮蔽状態の範囲内に予め規定して操作可能とするよう構成している。
【０１６９】
ここで、図１６（ｂ）に示す操作画面における操作性を向上させるため、操作バー２２６１は、動作モードに応じて予め規定された回動操作可能範囲で、設定する動作モードに応じた回動操作対象の遮蔽材の回動操作量を識別できるように濃薄のバー表示を提示するように構成される。例えば、図１７（ｂ）に示すように、回動操作可能範囲であれば、回動操作量を設定する操作ボタン２２６２，２２６３の押下で濃く提示されるバー表示部分が伸縮表示される。一方、図１７（ａ）に示すように、既にスラット水平状態を示す表示状態から操作ボタン２２６３を押下しても、その表示状態以上、操作バー２２６１の濃く提示されるバー表示部分は変化しない。同様に、図１７（ｃ）に示すように、既にスラット正遮蔽状態を示す表示状態から操作ボタン２２６２を押下しても、操作バー２２６１の表示状態は変化しない。
【０１７０】
これにより、操作者は、下部遮蔽材２Ａにおけるスラットの回動操作可能範囲をスラット水平状態から正遮蔽状態の範囲内に予め規定されていることを把握することができ、使い勝手が向上する。尚、このように、動作モードに応じて回動操作可能範囲を規定することで、上部遮蔽材２Ｂと下部遮蔽材２Ａとの間に隙間が空いてしまうなどの不具合を防止することができる。尚、図１７に示す例のように回動操作量を識別できるようにするだけでなく、これに加えて回動操作可能範囲も識別できるように、その回動操作量と回動操作可能範囲とを濃度差で示すバー表示としてもよい。例えば、操作ボタン（図示する矢印表記ボタン）２２６２，２２６３の押下操作で、設定する回動操作量に応じて操作バー２２６１の濃く提示されるバー表示部分が伸縮表示されるが、スラット水平状態から正遮蔽状態の範囲内でしか操作できないことが識別されるように提示してもよい。
【０１７１】
尚、図１６（ｂ）では、上部採光固定・下部操作モード（図１５（ｃ）に示すＭＯＤＥ３）の操作画面例を挙げて説明したが、例えば、図１５における他の動作モードにおいても同様に、操作ボタン２２６２，２２６３、操作バー２２６１、動作ボタン２２６４、ボタン２２６５が提示される。
【０１７２】
例えば、“全体”ボタン２２７‐１の押下で提示される一体操作モード（図１５（ａ）に示すＭＯＤＥ１）の操作画面では、遮蔽材全体２Ｃにおけるスラットの回動操作可能範囲として、スラット逆遮蔽状態から正遮蔽状態の範囲内に操作可能として規定する操作バー２２６１が提示される。
【０１７３】
また、“上採光”ボタン２２７‐２の押下で提示される下部遮光固定・上部操作モード（図１５（ｂ）に示すＭＯＤＥ２）の操作画面では、下部遮蔽材２Ａを遮光状態（スラット正遮蔽状態）に状態固定とし、上部遮蔽材２Ｂにおけるスラットの回動操作可能範囲として、スラット正遮蔽状態から所定角度までの逆遮蔽状態の範囲内に操作可能として規定する操作バー２２６１が提示される。
【０１７４】
また、“上遮蔽ボタン”２２７‐４の押下で提示される上部遮光固定・下部操作モード（図１５（ｄ）に示すＭＯＤＥ４）の操作画面では、上部遮蔽材２Ｂを遮光状態（スラット逆遮蔽状態）に状態固定とし、下部遮蔽材２Ａにおけるスラットの回動操作可能範囲として、スラット正遮蔽状態から所定角度までの逆遮蔽状態の範囲内に操作可能として規定する操作バー２２６１が提示される。
【０１７５】
このように、回動操作可能範囲を規定しながら動作モードに応じた操作対象の遮蔽材の回動操作量をバー表示する操作バー２２６１を提示することで、操作者は、一見して、動作モードに応じて予め規定された回動操作可能範囲と、設定する回動操作量とを識別できるようになり、操作性が向上する。
【０１７６】
以上のように、上述した実施例及び各変形例、又はこれらの組み合わせに基づくスイッチ１２，１２Ａ、マルチスイッチ２２、及び通信端末１３は、第１及び第２実施形態で例示説明したように、種々の電動ブラインドに対し共通に利用できるので、より製造コストの観点から有利となる。
【０１７７】
また、これらのスイッチ１２，１２Ａ、又はマルチスイッチ２２、或いは通信端末１３によって操作される、電動で遮蔽材の開閉制御を行う電動ブラインドは、予め定めた種類で定義付けられた動作モードに応じて操作対象の遮蔽材が自動的に切り替わるよう動作モードの指定に基づいた遮蔽材の操作制御を行う制御ユニット１１を有するので、上下方向又は前後方向に複数（３枚以上でもよい）の遮蔽材が並設される場合でも、制御負担を軽減させることができる。特に、制御ユニット１１は、モード切替ボタン１２６やモード選択ボタン２２７による動作モードを切り替え時に、各動作モードに応じた予め定めたデフォルト状態へと移行してから、遮蔽材の開閉（又は回動）操作を実行する構成とする場合には、より操作者にとって分かりやすく、より使い勝手が向上するものとなる。
【０１７８】
また、本発明に係るスイッチ１２，１２Ａ、又はマルチスイッチ２２、或いは通信端末１３は、上述した各実施形態の例のように、遮蔽材全体を上下方向又は前後方向に複数に分けた複数種の遮蔽材を有する電動ブラインドを操作するために構成されたものであるが、単一の遮蔽材を有する電動ブラインドを操作するときにも利用できるため、この観点からも製造コスト及び使い勝手の観点から有利なものとなっている。
【０１７９】
以上、特定の実施形態の例を挙げて本発明を説明したが、本発明は前述の実施形態の例に限定されるものではなく、その技術思想を逸脱しない範囲で種々変形可能である。例えば、第１実施形態及び第２実施形態を応用して例えば第１実施形態及び第２実施形態を組み合わせた電動ブラインドを構成した場合には、更に動作モードの種類数を増大させて、本発明に係るスイッチ１２，１２Ａ、又はマルチスイッチ２２、或いは通信端末１３によって動作モードに応じた操作を可能とする構成とすることもできる。
【０１８０】
従って、上述した各実施形態から種々の変形例で構成することができ、本発明は特許請求の範囲の記載によってのみ制限される。
【産業上の利用可能性】
【０１８１】
本発明によれば、スイッチ、マルチスイッチ、通信端末及び電動ブラインドの製造コストの増大を防ぎ、且つ使い勝手を向上させることができるので、電動ブラインドの用途に有用である。
【符号の説明】
【０１８２】
１  ヘッドボックス
２  スラット
２Ａ  下部遮蔽材
２Ｂ  上部遮蔽材
２Ｃ  遮蔽材全体
３，３Ａ，３Ｂ  昇降テープ
４，４Ａ，４Ｂ  ラダーコード
５，５Ａ，５Ｂ  支持部材
６  ボトムレール
６ｍ  中間レール
７，７Ａ，７Ｂ  駆動軸
８Ａ，８Ｂ  モーター
９Ａ，９Ｂ  エンコーダ
１０  電源ユニット
１１  制御ユニット
１２，１２Ａ  スイッチ
１２ａ  通信制御部
１３  通信端末
１４，１４ａ，１４ｂ  チルトコード
１５，１５ａ，１５ｂ  チルトコードの下端の連結部
１６，１６ａ，１６ｂ    アクチュエータ
２２  マルチスイッチ
１０１  支持部材
１０２Ａ  前部遮蔽材
１０２Ｂ  後部遮蔽材
１０２Ｃ  遮蔽材全体
１０４Ａ，１０４Ｂ  
１０５  制御ボックス
１１１  制御部
１１１ａ  モード制御部
１１１ｂ  操作制御部
１１２  メモリ
１１３  通信部
１１４  第１パルス信号入力部
１１５  第２パルス信号入力部
１１６  第１モーター駆動制御部
１１７  第２モーター駆動制御部
１２１  開ボタン
１２２  停止ボタン
１２２Ｍ，１２２Ｓ，１２２Ｔ  モード選択／停止ボタン
１２３  閉ボタン
１２４  逆遮蔽用ボタン
１２４Ｍ  モード選択兼用の逆遮蔽用ボタン
１２５  正遮蔽用ボタン
１２５Ｍ  モード選択兼用の正遮蔽用ボタン
１２６，１２６Ａ，１２６Ｂ，１２６Ｓ  モード切替ボタン
１２７  表示部
１２８  動作態様表示部
【図１】
2020190175.tif 000003
【図２】
2020190175.tif 000004
【図３】
2020190175.tif 000005
【図４】
2020190175.tif 000006
【図５】
2020190175.tif 000007
【図６】
2020190175.tif 000008
【図７】
2020190175.tif 000009
【図８】
2020190175.tif 000010
【図９】
2020190175.tif 000011
【図１０】
2020190175.tif 000012
【図１１】
2020190175.tif 000013
【図１２】
2020190175.tif 000014
【図１３】
2020190175.tif 000015
【図１４】
2020190175.tif 000016
【図１５】
2020190175.tif 000017
【図１６】
2020190175.tif 000018
【図１７】
2020190175.tif 000019
【図１８】
2020190175.tif 000020